(57)【特許請求の範囲】
【請求項１】
ワイヤレス通信のための方法であって、
送信期間のための無線周波数スペクトル帯域について競合するために第１のクリアチャネルアセスメント（ＣＣＡ）手順を実施することと、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定することと、
を備え、
前記第１のＣＣＡ手順の成功した完了時に、前記無線周波数スペクトル帯域の利用可能性を決定するために第２のＣＣＡ手順を実施すること、ここにおいて、前記第２のＣＣＡ手順が、前記送信期間における間欠送信（ＤＴＸ）期間中に実施され、
を備えることを特徴とし、
前記方法はユーザ機器（ＵＥ）によって実行される、方法。
【請求項２】
前記第２のＣＣＡ手順の前記実施に基づいて前記ＤＴＸ期間に続く前記送信期間の一部分中に前記無線周波数スペクトル帯域を介して送信すること
をさらに備える、請求項１に記載の方法。
【請求項３】
前記複数のオペレータが、前記競合期間中の所定の時間において前記無線周波数スペクトルについて競合するための優先度インデックスを割り当てられる、請求項１に記載の方法。
【請求項４】
前記複数のオペレータのうちの勝ったオペレータのみが、前記ＤＴＸ期間中に前記無線周波数スペクトル帯域について競合する、請求項３に記載の方法。
【請求項５】
前記第１のＣＣＡ手順を前記実施することは、前記複数のオペレータ、レーダー信号、あるいは１または複数の他のユーザのうちの１または複数が、前記無線周波数スペクトル帯域の使用を禁止し得る信号を送信しているかどうかを決定する、請求項１に記載の方法。
【請求項６】
前記第２のＣＣＡ手順を前記実施することは、
前記無線周波数スペクトル帯域の使用を禁止し得るレーダー信号が存在するかどうかを決定すること、
別のユーザが前記ＤＴＸ期間中に前記無線周波数スペクトル帯域を獲得したかどうかを決定すること、または、
前記送信期間における複数のＤＴＸ期間の各々のＤＴＸ期間中にＣＣＡ手順を実施すること
のうちの１つを備える、請求項１に記載の方法。
【請求項７】
前記複数のＤＴＸ期間が、前記送信期間において周期性によって生じる、請求項６に記載の方法。
【請求項８】
前記周期性が、
前記無線周波数スペクトル帯域を使用する信号の１または複数の特性、または、
地理的領域の信号タイプ
に基づき、
前記送信期間中の２ミリ秒ごとに０．５ミリ秒ＤＴＸ期間、
前記送信期間中の７．５ミリ秒ごとに２．０ミリ秒ＤＴＸ期間、
２つの連続する送信期間中の１３．５ミリ秒ごとに５．０ミリ秒ＤＴＸ期間、または、
連邦通信委員会（ＦＣＣ）レーダータイプ１、２、３、４または５レーダー送信、あるいは欧州通信規格協会（ＥＴＳＩ）レーダータイプ１、２または５レーダー送信
のうちの１つを備える、請求項７に記載の方法。
【請求項９】
第１のデータサブフレームを送信するより前に前記無線周波数スペクトル帯域について前記競合に勝ったとき、前記無線周波数スペクトル帯域を介してチャネル使用ビーコン信号（ＣＵＢＳ）を送信すること
をさらに備える、請求項１に記載の方法。
【請求項１０】
ランクインジケータ（ＲＩ）測定、チャネル状態情報（ＣＳＩ）測定、基準信号受信電力（ＲＳＲＰ）測定または基準信号受信品質（ＲＳＲＱ）測定のうちの１または複数が前記第１のデータサブフレーム中に実施される、請求項９に記載の方法。
【請求項１１】
前記複数のＤＴＸ期間のうちの１または複数が前記送信期間における複数の連続するサブフレームを備える、請求項６に記載の方法。
【請求項１２】
ＤＴＸ期間のうちの１または複数の期間中に１または複数のアップリンクデータを送信することをさらに備える、請求項１に記載の方法。
【請求項１３】
前記ＤＴＸ期間の持続時間が、ワイヤレス通信ネットワークに関するシステム負荷に応答して適応的に決定される、請求項１に記載の方法。
【請求項１４】
前記ＤＴＸ期間の前記持続時間がリソース許可中で示される、請求項１３に記載の方法。
【請求項１５】
前記複数のオペレータが、前記無線周波数スペクトル帯域において使用されるプロトコルに従って動作する協調ノードのセットを動作させる、請求項１に記載の方法。
【請求項１６】
送信期間のための無線周波数スペクトル帯域について競合するために第１のクリアチャネルアセスメント（ＣＣＡ）手順を実施するための手段と、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定するための手段と、
を備え、
前記第１のＣＣＡ手順の成功した完了時に、前記無線周波数スペクトル帯域の利用可能性を決定するために第２のＣＣＡ手順を実施するための手段、ここにおいて、前記第２のＣＣＡ手順が、前記送信期間における間欠送信（ＤＴＸ）期間中に実施され、
を備えることを特徴とする、ワイヤレス通信のためのユーザ機器（ＵＥ）。
【請求項１７】
ワイヤレス通信のためのコンピュータ実行可能コードを記憶したコンピュータ可読記憶媒体であって、前記コードは、請求項１乃至１５のいずれか一項に記載の方法を実行するためにプロセッサによって実行可能である、コンピュータ可読記憶媒体。
【請求項１８】
ワイヤレス通信のための方法であって、
送信期間のための無線周波数スペクトル帯域について競合するために第１のクリアチャネルアセスメント（ＣＣＡ）手順を実施することと、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定することと、
を備え、
前記第１のＣＣＡ手順の成功した完了時に、前記無線周波数スペクトル帯域の利用可能性を決定するために第２のＣＣＡ手順を実施すること、ここにおいて、前記第２のＣＣＡ手順が、前記送信期間における間欠送信（ＤＴＸ）期間中に実施され、
を備えることを特徴とし、
前記方法は基地局によって実行される、方法。
【請求項１９】
送信期間のための無線周波数スペクトル帯域について競合するために第１のクリアチャネルアセスメント（ＣＣＡ）手順を実施するための手段と、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定するための手段と、
を備え、
前記第１のＣＣＡ手順の成功した完了時に、前記無線周波数スペクトル帯域の利用可能性を決定するために第２のＣＣＡ手順を実施するための手段、ここにおいて、前記第２のＣＣＡ手順が、前記送信期間における間欠送信（ＤＴＸ）期間中に実施され、
を備えることを特徴とする、ワイヤレス通信のための基地局。
【発明の詳細な説明】
【技術分野】
【０００１】
相互参照
[0001]本特許出願は、各々が本出願の譲受人に譲渡された、２０１４年７月２５日に出願された、「Ｔｅｃｈｎｉｑｕｅｓ  ｆｏｒ  Ａｓｓｅｓｓｉｎｇ  Ｃｌｅａｒ  Ｃｈａｎｎｅｌ  ｉｎ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｍｎｊａｎｏｖｉｃらによる米国特許出願第１４／３４１，１３５号、および２０１３年１０月４日に出願された、「Ｔｅｃｈｎｉｑｕｅｓ  ｆｏｒ  Ａｓｓｅｓｓｉｎｇ  Ｃｌｅａｒ  Ｃｈａｎｎｅｌ  Ｉｎ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｍｎｊａｎｏｖｉｃらによる米国仮特許出願第６１／８８７，３１８号に対する優先権を主張する。
【０００２】
[0002]本開示は、たとえば、ワイヤレス通信に関し、より詳細には、無認可無線周波数スペクトル帯域（an unlicensed radio frequency spectrum band）においてクリアチャネルを評価する（assessing）ための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークはいくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、Ｗｉ−Ｆｉ（登録商標）ノードなど、いくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００５】
[0005]セルラーネットワークがより頻繁に利用されるようになるにつれて、オペレータは、容量を増加させる方法を求めている。１つの手法は、セルラーネットワークのトラフィックおよび／またはシグナリングのいくつかをオフロードするためのＷＬＡＮの使用を含み得る。認可無線周波数スペクトル帯域中で動作するセルラーネットワークとは異なり、Ｗｉ−Ｆｉネットワークは、概して無認可無線周波数スペクトル帯域中で動作し、したがって、スペクトルへの公平なアクセスを提供するための確立されたルールに従う様々なエンティティが使用するために利用可能であるので、（Ｗｉ−Ｆｉネットワークなどの）ＷＬＡＮは魅力的な特徴を提供し得る。多くの地理的エリアにおいて、無認可無線周波数スペクトル帯域は、ＷＬＡＮユーザ以外のユーザによる１次使用のために割り振られている。たとえば、米国および欧州では、レーダー信号のためのスペクトルとして１次使用を有する無認可無線周波数スペクトル帯域が利用可能である。このスペクトルのための確立されたルールでは、スペクトル上で送信することを望むデバイスは、レーダー信号が検出されたとき、レーダー送信機に譲歩する（yield）ことが要求される。いくつかの展開では、様々なオペレータは、様々な異なる技法のうちの１または複数を使用して無認可無線周波数スペクトル帯域にアクセスすることを望み得る。しかしながら、無認可無線周波数スペクトル帯域へのアクセスは、無認可無線周波数スペクトル帯域にアクセスするための同じまたは異なる技法を使用する、同じまたは異なるオペレータ展開のアクセスポイントが、スペクトルアクセスのための確立されたルールにも準拠しながら、共存し、無認可無線周波数スペクトル帯域の有効使用を行うことができることを保証するために協調を必要とし得る。
【発明の概要】
【０００６】
[0006]本開示は、たとえば、ワイヤレス通信のための１または複数の改善されたシステム、方法、および／またはデバイスに関し、より詳細には、無線周波数スペクトル帯域へのアクセスのための複数のクリアチャネルアセスメント（ＣＣＡ：clear channel assessment）手順に関する。いくつかの態様によれば、無線周波数スペクトル帯域の利用可能性を決定するために、および無線周波数スペクトル帯域上で送信しているいくつかの協調されたオペレータ間で無線周波数スペクトル帯域の使用について競合するために、第１のＣＣＡ手順が実施され得る。成功した第１のＣＣＡ手順は、いくつかの協調されたオペレータ間で協調された送信期間のための無線周波数スペクトル帯域についての競合に勝つことをもたらし得る。成功した第１のＣＣＡ手順時に、無線周波数スペクトル帯域の継続的な利用可能性を決定するために送信期間における１または複数の間欠送信（discontinuous transmission）（ＤＴＸ）期間中に１または複数の第２のＣＣＡ手順が実施され得る。１または複数のＤＴＸ期間のタイミングは、レーダー信号など、無線周波数スペクトル帯域の優先使用を有する無線送信のタイミングに基づいて決定され得る。
【０００７】
[0007]例示的な例の第１のセットによれば、ワイヤレス通信の方法は、送信期間のための無線周波数スペクトル帯域について競合するために第１のクリアチャネルアセスメント（ＣＣＡ）手順を実施することと、第１のＣＣＡ手順が、いくつかのオペレータ間で協調された競合期間中の送信期間の前に実施され、第１のＣＣＡ手順に基づいて、送信期間のための無線周波数スペクトル帯域についての競合に勝ったかどうかを決定することと、第１のＣＣＡ手順の成功した完了時に、無線周波数スペクトル帯域の利用可能性を決定するために第２のＣＣＡ手順を実施することと、第２のＣＣＡ手順が、送信期間における間欠送信（a discontinuous transmission）（ＤＴＸ）期間中に実施され、を含み得る。
【０００８】
[0008]いくつかの例では、本方法はまた、第２のＣＣＡ手順の実施に基づいてＤＴＸ期間に続く送信期間の一部分中に無線周波数スペクトル帯域を介して（over）送信することを含み得る。いくつかのオペレータは、いくつかの例では、競合期間中の所定の時間において無線周波数スペクトルについて競合するための優先度インデックスを割り当てられ得る。いくつかの例では、勝ったオペレータ（a winning operator）のみが、ＤＴＸ期間中に無線周波数スペクトル帯域について競合し得る。
【０００９】
[0009]いくつかの例では、第１のＣＣＡ手順は、オペレータ、レーダー信号、あるいは１または複数の他のユーザのうちの１または複数が、無線周波数スペクトル帯域の使用を禁止し得る信号を送信しているかどうかを決定する。第２のＣＣＡ手順は、たとえば、無線周波数スペクトル帯域の使用を禁止し得るレーダー信号が存在するかどうかを決定すること、別のユーザがＤＴＸ期間中に無線周波数スペクトル帯域を獲得した（won）かどうかを決定すること、および／または送信期間におけるいくつかのＤＴＸ期間の各々のＤＴＸ期間中にＣＣＡ手順を実施すること、を含み得る。
【００１０】
[0010]複数のＤＴＸ期間を有する例では、そのようなＤＴＸ期間は、送信期間中に周期性によって生じ得る。周期性は、たとえば、無線周波数スペクトル帯域を使用する信号の１または複数の特性に少なくとも部分的に基づき得る。いくつかの例では、周期性は地理的領域の信号タイプに基づき得、たとえば、連邦通信委員会（ＦＣＣ：Federal Communications Commission）レーダータイプ２、３、または４レーダー送信に基づき得る送信期間中の２ミリ秒ごとに０．５ミリ秒ＤＴＸ期間を含み得る。追加または代替として、周期性は地理的領域の信号タイプに基づき得、たとえば、ＦＣＣレーダータイプ１または５レーダー送信に基づき得る送信期間中の７．５ミリ秒ごとに２．０ミリ秒ＤＴＸ期間を含み得る。追加または代替として、周期性は地理的領域の信号タイプに基づき得、たとえば、欧州通信規格協会（ＥＴＳＩ：European Telecommunications Standards Institute）レーダータイプ１、２、または５レーダー送信に基づき得る２つの連続する送信期間中の１３．５ミリ秒ごとに５．０ミリ秒ＤＴＸ期間を含み得る。
【００１１】
[0011]いくつかの例では、本方法は、第１のデータサブフレームを送信するより前に無線周波数スペクトル帯域についての競合に勝ったとき、無線周波数スペクトル帯域を介してチャネル使用ビーコン信号（ＣＵＢＳ：channel usage beacon signal）を送信することを含み得る。いくつかの例では、ランクインジケータ（ＲＩ：rank indicator）測定またはチャネル状態情報（ＣＳＩ：channel state information）測定のうちの１または複数が第１のデータサブフレーム中に実施され得る。さらなる例では、基準信号受信電力（ＲＳＲＰ：reference signal received power）測定または基準信号受信品質（ＲＳＲＱ：reference signal received quality）測定のうちの１または複数が第１のデータサブフレーム中に実施され得る。
【００１２】
[0012]いくつかの例では、第２のＣＣＡ手順を実施することは、送信期間におけるいくつかのＤＴＸ期間の各々のＤＴＸ期間中にＣＣＡ手順を実施することを含み得、ＤＴＸ期間のうちの１または複数は、送信期間中に複数の連続するサブフレームを含み得る。いくつかの例では、ＤＴＸ期間の１または複数の期間中に１または複数のアップリンク送信が受信され得る。ＤＴＸ期間の持続時間は、いくつかの例では、ワイヤレス通信ネットワークに関するシステム負荷に応答して適応的に決定され得る。ＤＴＸ期間の持続時間は、いくつかの例によれば、リソース許可（a resource grant）中で示され得る。いくつかのオペレータは、たとえば、無線周波数スペクトル帯域において使用されるプロトコルに従って動作する協調ノードのセットを動作させ得る。
【００１３】
[0013]例示的な例の別のセットによれば、ワイヤレス通信のための装置は、少なくとも１つのプロセッサと、少なくとも１つのプロセッサに通信可能に結合されたメモリとを含み得る。少なくとも１つのプロセッサは、送信期間のための無線周波数スペクトル帯域について競合するためにＣＣＡ手順を実施することと、第１のＣＣＡ手順が、いくつかのオペレータ間で協調された競合期間中の送信期間の前に実施され、第１のＣＣＡ手順に基づいて、送信期間のための無線周波数スペクトル帯域についての競合に勝ったかどうかを決定することと、第１のＣＣＡ手順の成功した完了時に、無線周波数スペクトル帯域の利用可能性を決定するために第２のＣＣＡ手順を実施することと、第２のＣＣＡ手順が、送信期間におけるＤＴＸ期間中に実施され、を行うためのメモリ上に記憶されたコードを実行するように構成され得る。
【００１４】
[0014]いくつかの例では、少なくとも１つのプロセッサは、上記で説明した例示的な例の第１のセットの１または複数の態様を実装するためのメモリ上に記憶されたコードを実行するように構成され得る。
【００１５】
[0015]例示的な例の別のセットによれば、ワイヤレス通信のための装置は、送信期間のための無線周波数スペクトル帯域について競合するために第１のＣＣＡ手順を実施するための手段と、第１のＣＣＡ手順が、いくつかのオペレータ間で協調された競合期間中の送信期間の前に実施され、第１のＣＣＡ手順に基づいて、送信期間のための無線周波数スペクトル帯域についての競合に勝ったと決定するための手段と、第１のＣＣＡ手順の成功した完了時に、無線周波数スペクトル帯域の利用可能性を決定するために第２のＣＣＡ手順を実施するための手段と、第２のＣＣＡ手順が、送信期間におけるＤＴＸ期間中に実施され、を含み得る。
【００１６】
[0016]いくつかの例では、本装置は、上記で説明した例示的な例の第１のセットの１または複数の態様を実装するための手段を含み得る。
【００１７】
[0017]例示的な例の別のセットによれば、コンピュータプログラム製品は、コンピュータ可読コードを有する非一時的コンピュータ可読媒体を含み得る。コンピュータ可読コードは、送信期間のための無線周波数スペクトル帯域について競合するために第１のＣＣＡ手順を実施することと、第１のＣＣＡ手順が、いくつかのオペレータ間で協調された競合期間中の送信期間の前に実施され、第１のＣＣＡ手順に基づいて、送信期間のための無線周波数スペクトル帯域についての競合に勝ったかどうかを決定することと、第１のＣＣＡ手順の成功した完了時に、無線周波数スペクトル帯域の利用可能性を決定するために第２のＣＣＡ手順を実施することと、第２のＣＣＡ手順が、送信期間におけるＤＴＸ期間中に実施され、を少なくとも１つのプロセッサに行わせるように構成され得る。
【００１８】
[0018]いくつかの例では、コンピュータ可読コードは、少なくとも１つのプロセッサに、上記で説明した例示的な例の第１のセットの１または複数の態様を実装させるように構成され得る。
【００１９】
[0019]説明する方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２０】
[0020]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。本明細書において第１の参照ラベルのみが使用される場合、説明は、第２の参照ラベルにかかわらず、同一の第１の参照ラベルを有する同様の構成要素のうちの任意の１つに適用可能である。
【図面の簡単な説明】
【００２１】
【図１】[0021]本開示の態様による、ワイヤレス通信システムの一例を概念的に示すブロック図。
【図２】[0022]本開示の態様による、無認可無線周波数スペクトル帯域において展開されるＬＴＥ（登録商標）を使用するための展開シナリオの例を概念的に示すブロック図。
【図３】[0023]本開示の態様による、隣接する基地局と、関連するＵＥと、他のスペクトルユーザとの一例を概念的に示すブロック図。
【図４】[0024]本開示の態様による、無線フレームと、関連するサブフレームと、協調された競合ベースの無線周波数スペクトル帯域アクセスのためのダウンリンクＣＣＡ間隔（intervals）との一例を概念的に示すブロック図。
【図５】[0025]本開示の態様による、無線フレームと、関連するサブフレームと、競合ベースおよび非競合ベースの無線周波数スペクトル帯域アクセスのためのダウンリンクＣＣＡ間隔との一例を概念的に示すブロック図。
【図６】[0026]本開示の態様による、ＤＴＸ期間とダウンリンクＣＣＡ間隔とを概念的に示すブロック図。
【図７】[0027]本開示の態様による、ＤＴＸ期間とダウンリンクＣＣＡ間隔とを概念的に示すブロック図。
【図８】[0028]本開示の態様による、ＤＴＸ期間と、ダウンリンクＣＣＡ間隔と、アップリンク送信とを概念的に示すブロック図。
【図９】[0029]本開示の態様による、ＤＴＸ期間と、ダウンリンクＣＣＡ間隔と、アップリンク送信とを概念的に示すブロック図。
【図１０Ａ】[0030]本開示の態様による、ＤＴＸ期間と、ダウンリンクＣＣＡ間隔と、チャネル測定リソースとを概念的に示すブロック図。
【図１０Ｂ】本開示の態様による、ＤＴＸ期間と、ダウンリンクＣＣＡ間隔と、チャネル測定リソースとを概念的に示すブロック図。
【図１１Ａ】[0031]本開示の態様による、ワイヤレス通信において使用するための、基地局またはＵＥなどのデバイスを概念的に示すブロック図。
【図１１Ｂ】本開示の態様による、ワイヤレス通信において使用するための、基地局またはＵＥなどのデバイスを概念的に示すブロック図。
【図１２】[0032]本開示の態様による、基地局の設計を概念的に示すブロック図。
【図１３】[0033]本開示の態様による、ＵＥの設計を概念的に示すブロック図。
【図１４】[0034]本開示の態様による、基地局とＵＥとの一例を概念的に示すブロック図。
【図１５】[0035]本開示の態様による、ワイヤレス通信の方法の一例を概念的に示すフローチャート。
【図１６】[0036]本開示の態様による、ワイヤレス通信の方法の一例を概念的に示すフローチャート。
【図１７】[0037]本開示の態様による、ワイヤレス通信の方法の一例を概念的に示すフローチャート。
【図１８】[0038]本開示の態様による、ワイヤレス通信の方法の一例を概念的に示すフローチャート。
【発明を実施するための形態】
【００２２】
[0039]セルラー通信（たとえば、ロングタームエボリューション（ＬＴＥ）通信）のために無認可無線周波数スペクトル帯域が使用され得る方法、装置、システム、およびデバイスが説明される。
【００２３】
[0040]セルラーネットワークにおけるデータトラフィックの増加に伴い、少なくともいくつかのデータトラフィックを無認可無線周波数スペクトル帯域にオフロードすることにより、拡張されたデータ伝送容量の機会がセルラーオペレータに提供され得る。チャネルアクセスを獲得し、無認可無線周波数スペクトル帯域を使用して送信するより前に、送信デバイスは、いくつかの展開では、チャネルアクセスを獲得するためにリッスンビフォアトーク（ＬＢＴ：listen before talk）手順を実施し得る。そのようなＬＢＴ手順は、特定のチャネルが利用可能であるかどうかを決定するためにクリアチャネルアセスメント（ＣＣＡ）を含み得る。チャネルが利用可能でないと決定された場合、ＣＣＡは後で再び実施され得る。さらに、無認可無線周波数スペクトル帯域の使用は、無認可無線周波数スペクトル帯域にアクセスするための同じまたは異なる技法を使用する、同じまたは異なるオペレータ展開のアクセスポイントが、無認可無線周波数スペクトル帯域内で共存し得ることを保証するために協調を必要とし得る。
【００２４】
[0041]場合によっては、共存は、無認可無線周波数スペクトル帯域にアクセスすることを希望する異なるオペレータ展開の異なるデバイスまたはノードによって実施されるＣＣＡの協調によって可能にされ得る。ＣＣＡ協調方法のいくつかでは、ＣＣＡは、無認可無線周波数スペクトル帯域にアクセスすることを望み得る複数のデバイスまたはノード間で所定の時間期間中に行われるように協調され得る。たとえば、複数の協調される基地局が無認可無線周波数スペクトル帯域においてダウンリンクチャネルアクセスのためにＣＣＡをその間に実施し得る時間期間が識別され得る。そのような協調は、ノードまたはデバイスがアクセスを求め、無線周波数信号を同期方式で送信する同期システムを生じる。
【００２５】
[0042]上述したように、多くの展開では、無認可無線周波数スペクトル帯域の使用に関係するルールおよび規制に準拠するためにＬＢＴ手順が必要とされる。多くの地理的エリアにおいて、無認可無線周波数スペクトル帯域は、レーダー信号のための１次使用など、ＷＬＡＮユーザ以外のシステムによる１次使用のために割り振られている。たとえば、多くの５ＧＨｚ周波数帯域は、初めにレーダーシステムに割り振られており、送信機がレーダーシステムとの干渉を回避するために動的周波数選択（ＤＦＳ：Dynamic Frequency Selection）機構に従って動作したという条件で、無認可使用のために後で開放された。多くのＷｉ−Ｆｉ展開は、そのようなレーダー信号の検出のために十分な機会を提供する非同期アクセス技法を使用する。しかしながら、同期アクセス技法を有するシステムでは、同期システムのためのＣＣＡ間隔の外側に信号を置き得るタイミング特性で送信され得るそのようなレーダー信号を監視するためには、追加の方策（measures）が必要とされ得る。
【００２６】
[0043]本開示の様々な態様によれば、無線周波数スペクトル帯域へのアクセスのために複数のＣＣＡ手順が実施され得る。いくつかの態様によれば、無線周波数スペクトル帯域の利用可能性を決定するために、および無線周波数スペクトル帯域上で送信しているいくつかの協調されたオペレータ間で無線周波数スペクトル帯域の使用について競合するために、第１のＣＣＡ手順が実施され得る。成功した第１のＣＣＡ手順は、いくつかの協調されたオペレータ間で協調された送信期間のための無線周波数スペクトル帯域についての競合に勝つことをもたらし得る。成功した第１のＣＣＡ手順時に、無線周波数スペクトル帯域の継続的な利用可能性を決定するために送信期間における１または複数の間欠送信（ＤＴＸ）期間中に１または複数の第２のＣＣＡ手順が実施され得る。１または複数のＤＴＸ期間のタイミングは、無線周波数スペクトル帯域の優先使用を有する無線送信のタイミングに基づいて決定され得る。
【００２７】
[0044]本明細書で説明する技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００２８】
[0045]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実施され得、様々なステップが追加、省略、または組み合わされ得る。また、いくつかの実施形態に関して説明する特徴は、他の実施形態において組み合わされ得る。
【００２９】
[0046]本明細書および添付の特許請求の範囲において使用される「ワイヤレスワイドエリアネットワーク」または「ＷＷＡＮ」という用語は、セルラーワイヤレスネットワークを指す。ＷＷＡＮの例としては、たとえば、ＬＴＥネットワーク、ＵＭＴＳネットワーク、ＣＤＭＡ２０００ネットワーク、ＧＳＭ／ＥＤＧＥネットワーク、１ｘ／ＥＶ−ＤＯネットワークなどがある。いくつかの例では、ＷＷＡＮは「無線アクセスネットワーク」と呼ばれることがある。
【００３０】
[0047]本明細書および添付の特許請求の範囲において使用される「ワイヤレスローカルエリアネットワーク」または「ＷＬＡＮ」という用語は、非セルラーワイヤレスネットワークを指す。ＷＬＡＮの例としては、たとえば、確立されたＤＦＳルールに従って５ＧＨｚ帯域中の無認可無線周波数スペクトル帯域を使用して送信し得るＩＥＥＥ８０２．１１（「Ｗｉ−Ｆｉ」）規格ファミリーに準拠するワイヤレスネットワークがある。
【００３１】
[0048]図１は、本開示の態様による、ワイヤレス通信システム１００の一例を概念的に示すブロック図を示す。ワイヤレス通信システム１００は、複数の基地局（たとえば、アクセスポイント、ｅＮＢ、またはＷＬＡＮアクセスポイント）１０５と、いくつかのユーザ機器（ＵＥ）１１５と、コアネットワーク１３０とを含む。基地局１０５のうちのいくつかは、様々な例ではコアネットワーク１３０またはいくつかの基地局１０５（たとえば、アクセスポイントまたはｅＮＢ）の一部であり得る、基地局コントローラ（図示せず）の制御下でＵＥ１１５と通信し得る。基地局１０５は、バックホールリンク１３２を通してコアネットワーク１３０と制御情報および／またはユーザデータを通信し得る。いくつかの例では、基地局１０５は、ワイヤードまたはワイヤレス通信リンクのいずれかであり得るバックホールリンク１３４を介して互いに直接あるいは間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３２】
[0049]基地局１０５は、１つまたは複数の基地局アンテナを介して、ＵＥ１１５とワイヤレス通信し得る。基地局１０５サイトの各々は、それぞれのカバレージエリア１１０に通信カバレージを与え得る。いくつかの例では、基地局１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は同じまたは異なるアクセスネットワークまたはオペレータ展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは、重複し得る。
【００３３】
[0050]いくつかの例では、ワイヤレス通信システム１００は、１つまたは複数の動作モードまたは展開シナリオをサポートするＬＴＥ／ＬＴＥ−Ａ通信システム（またはネットワーク）であり、基地局１０５およびＵＥ１１５の間で協調された競合ベースのチャネルアクセス手順を採用し得、協調された競合ベースのアクセス手順間の継続的なチャネル利用可能性の決定のためにＤＴＸ期間を採用し得る。そのような協調は、いくつかの例によれば、ＣＣＡ協調マネージャ１４０によって管理され得る。いくつかの例では、ワイヤレス通信システム１００は、無認可無線周波数スペクトル帯域およびアクセス技術を使用して、または認可無線周波数スペクトル帯域およびＬＴＥ／ＬＴＥ−Ａとは異なるアクセス技術を使用してワイヤレス通信をサポートし得る。ＬＴＥ／ＬＴＥ−Ａネットワーク通信システムにおいて、発展型ノードＢ（ｅノードＢ）という用語は、基地局１０５について説明するために一般に使用され得る。ワイヤレス通信システム１００は、異なるタイプの基地局が様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、たとえば、比較的大きい地理的エリア（たとえば、半径数キロメートル）をカバーし、ネットワークプロバイダのサービスに加入しているＵＥ１１５による無制限アクセスを可能にし得る。ピコセルは、たとえば、比較的小さい地理的エリアをカバーすることになり、ネットワークプロバイダのサービスに加入しているＵＥ１１５による無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ１１５（たとえば、限定加入者グループ（ＣＳＧ）中のＵＥ、自宅内のユーザのためのＵＥなど）による制限付きアクセスも与え得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１または複数の（たとえば、２つ、３つ、４つなどの）セルをサポートし得る。
【００３４】
[0051]コアネットワーク１３０は、バックホール１３２（たとえば、Ｓ１インターフェースなど）を介してｅＮＢまたは他の基地局１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅＮＢは同様のフレームタイミングを有し得、異なるｅＮＢからの送信は時間的にほぼアラインされ（be approximately aligned in time）得る。非同期動作の場合、ｅＮＢは異なるフレームタイミングを有し得、異なるｅＮＢからの送信は時間的にアラインされないことがある。本明細書で説明する技法は、同期動作または非同期動作のいずれかのために使用され得る。
【００３５】
[0052]ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワークを介して通信することが可能であり得る。
【００３６】
[0053]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可無線周波数スペクトル帯域、無認可無線周波数スペクトル帯域、または両方を使用して行われ得る。同様に、アップリンク送信は、認可無線周波数スペクトル帯域、無認可無線周波数スペクトル帯域、または両方を使用して行われ得る。
【００３７】
[0054]無線通信システム１００のいくつかの例では、様々な展開シナリオは、認可無線周波数スペクトル帯域におけるＬＴＥダウンリンク容量が無認可無線周波数スペクトル帯域にオフロードされ得る補助ダウンリンクモードと、ＬＴＥダウンリンク容量とＬＴＥアップリンク容量の両方が認可無線周波数スペクトル帯域から無認可無線周波数スペクトル帯域にオフロードされ得るキャリアアグリゲーションモードと、基地局（たとえば、ｅＮＢ）とＵＥとの間のＬＴＥダウンリンク通信およびＬＴＥアップリンク通信が無認可無線周波数スペクトル帯域において行われ得るスタンドアロンモードとを含んでサポートされ得る。異なるモードの各々は、周波数分割複信（ＦＤＤ）または時分割複信（ＴＤＤ）に従って動作し得る。ＯＦＤＭＡ通信信号は、無認可無線周波数スペクトル帯域および／または認可無線周波数スペクトル帯域におけるＬＴＥダウンリンク送信のために通信リンク１２５中で使用され得、ＳＣ−ＦＤＭＡ通信信号は、無認可無線周波数スペクトル帯域および／または認可無線周波数スペクトル帯域におけるＬＴＥアップリンク送信のために通信リンク１２５中で使用され得る。無認可無線周波数スペクトル帯域を使用する送信は、周波数帯域における１または複数のキャリア周波数を使用して搬送され得る。周波数帯域は、たとえば、複数のキャリア周波数に分割され得、各キャリア周波数は同じ帯域幅または異なる帯域幅を有し得る。たとえば、各キャリア周波数は、５ＧＨｚ周波数帯域のうちの２０ＭＨｚを占有し得る。
【００３８】
[0055]多くの展開では、上述のように、無認可無線周波数スペクトル帯域を使用して送信することを求めるデバイスは、無認可無線周波数スペクトル帯域がそのような送信において使用するのに利用可能であること、すなわち、無認可無線周波数スペクトル帯域が１または複数の他のデバイスによってすでに使用中ではないことを検証する必要があり得る。したがって、無認可無線周波数スペクトル帯域を使用して送信するより前に、デバイスは、チャネルアクセスを獲得する（gain）ために、リッスンビフォアトーク（ＬＢＴ）手順とも呼ばれる競合ベースのチャネルアクセス手順を実施し得る。たとえば、無認可無線周波数スペクトル帯域の利用可能性を決定するためにＣＣＡが使用され得る。ＣＣＡの実施は、所望のスペクトルが、送信を開始することより前に特に占有されていないことをチェックすることを伴い得る。いくつかの例では、ＣＣＡ機会は、複数の基地局１０５にわたって協調され、１０ミリ秒（ｍｓ）ごとになど、周期的間隔で行われ得る。基地局１０５などの送信エンティティは、チャネルアクセスを望み、無認可無線周波数スペクトル帯域における特定のキャリア周波数が占有されているかどうかを決定するためにＣＣＡを実施し得る。無認可無線周波数スペクトル帯域における特定のキャリア周波数が占有されている場合、基地局１０５は、関連するキャリア周波数上でチャネルアクセスを取得することを再び試みる前に次のＣＣＡ機会まで待つ。ＣＣＡ機会を１０ｍｓごとに１回提供する展開では、基地局１０５は、チャネルアクセスを試みる前に１０ｍｓ待つ必要があろう。同様に、ＵＥ１１５は、無認可無線周波数スペクトル帯域を使用してアップリンクデータを基地局１０５に送信することを望み、同様にしてＣＣＡを実施し得る。
【００３９】
[0056]いくつかの例では、上述のように、複数のオペレータは、無線周波数スペクトル帯域へのアクセスのための競合ベース手順においてあらかじめ定義された時間において第１のＣＣＡ手順を実施し得る、協調された基地局１０５を提供し得る。第１のＣＣＡ手順中に無線周波数スペクトル帯域チャネルを獲得しない基地局１０５は、次いで、次の協調されたＣＣＡ機会について、あらかじめ定義された時間期間待つ。無線周波数スペクトル帯域チャネルを獲得する基地局１０５は、次いで、無線周波数スペクトル帯域を使用して無線信号を送信し得る。上述したように、いくつかの地理的エリアにおいて、無線周波数スペクトル帯域は、無線周波数スペクトル帯域の優先ユーザとしてレーダーシステムに割り振られ得る。いくつかの例によれば、第１のＣＣＡ手順において無線周波数スペクトル帯域を獲得する基地局１０５は、無線周波数スペクトル帯域が送信期間中に使用のために利用可能であると（たとえば、レーダーが、前の第１のＣＣＡ手順以来、送信することを開始していないと）決定するために、１または複数のＤＴＸ期間中に１または複数の第２のＣＣＡ手順を実施し得る。無線周波数スペクトル帯域が使用のために利用可能でない場合、基地局１０５は、送信せず、送信期間の後続のＤＴＸ期間において別の第２のＣＣＡ手順を実施し得る。無線周波数スペクトル帯域が利用可能である場合、基地局１０５は、送信期間中に送信を再開し（resume）得る。いくつかの例では、第１のＣＣＡ手順の間に複数のＤＴＸ期間が生じ得る。
【００４０】
[0057]図２は、本開示の態様による、無認可無線周波数スペクトル帯域において展開されるＬＴＥを使用するための展開シナリオの例を概念的に示すブロック図である。ワイヤレス通信システム２００は、無認可無線周波数スペクトル帯域を展開するＬＴＥネットワークにおけるｅＮＢ２０５とＵＥ２１５との間のための、補助ダウンリンクモードと、キャリアアグリゲーションモードと、スタンドアロンモードとの例を示している。ワイヤレス通信システム２００は、図１に関して説明したワイヤレス通信システム１００の部分の一例であり得る。その上、ｅＮＢ２０５は、図１の基地局１０５のうちの１つの一例であり得、ＵＥ２１５は、図１に関して説明したＵＥ１１５の例であり得る。
【００４１】
[0058]ワイヤレス通信システム２００における補助ダウンリンク（ＳＤＬ）モードの例では、ｅＮＢ２０５は、ダウンリンク２２０を使用してＯＦＤＭＡ通信信号をＵＥ２１５に送信し得る。図２の例では、ダウンリンク２２０は、無認可無線周波数スペクトル帯域における周波数に関連付けられ得る。ｅＮＢ２０５は、双方向リンク２２５を使用してＯＦＤＭＡ通信信号を同じＵＥ２１５に送信し得、双方向リンク２２５を使用してＳＣ−ＦＤＭＡ通信信号をそのＵＥ２１５から受信し得る。双方向リンク２２５は、認可無線周波数スペクトル帯域における周波数に関連付けられ得る。無認可無線周波数スペクトル帯域中のダウンリンク２２０および認可無線周波数スペクトル帯域中の双方向リンク２２５は、同時に動作し得る。ダウンリンク２２０は、ダウンリンク容量のオフロードをｅＮＢ２０５に提供し得る。いくつかの例では、ダウンリンク２２０は、（たとえば、１つのＵＥに宛てられた）ユニキャストサービスのために、または（たとえば、いくつかのＵＥに宛てられた）マルチキャストサービスのために使用され得る。このシナリオは、認可無線周波数スペクトル帯域を使用しトラフィックおよび／またはシグナリング輻輳の一部を軽減する必要がある、任意のサービスプロバイダ（たとえば、従来の（traditional）モバイルネットワークオペレータすなわちＭＮＯ）に対して生じ得る。
【００４２】
[0059]ワイヤレス通信システム２００におけるキャリアアグリゲーション（ＣＡ）モードの一例では、ｅＮＢ２０５は、双方向リンク２３０を使用してＯＦＤＭＡ通信信号をＵＥ２１５−ａに送信し得、双方向リンク２３０を使用してＳＣ−ＦＤＭＡ通信信号を同じＵＥ２１５−ａから受信し得る。図２の例では、無認可無線周波数スペクトル帯域における周波数に関連付けられ得る双方向リンク２３０。ｅＮＢ２０５はまた、双方向リンク２３５を使用してＯＦＤＭＡ通信信号を同じＵＥ２１５−ａに送信し得、双方向リンク２３５を使用してＳＣ−ＦＤＭＡ通信信号を同じＵＥ２１５−ａから受信し得る。双方向リンク２３５は、認可無線周波数スペクトル帯域における周波数に関連付けられ得る。双方向リンク２３０は、ダウンリンク容量およびアップリンク容量のオフロードをｅＮＢ２０５に提供し得る。上記で説明した補助ダウンリンクのように、このシナリオは、認可無線周波数スペクトル帯域を使用しトラフィックおよび／またはシグナリング輻輳の一部を軽減する必要がある、任意のサービスプロバイダ（たとえば、ＭＮＯ）に対して生じ得る。双方向リンク２３０は、いくつかの例によれば、ＴＤＤ通信を使用して動作し得る。ｅＮＢ２０５とＵＥ２１５−ａの両方が双方向リンク２３０を使用してデータを送信するとき、各々は、無認可無線周波数スペクトル帯域上で双方向リンク２３０を使用してデータを送信するより前にＬＢＴ手順を実施し得、各々は、無線周波数スペクトル帯域チャネルへのアクセスのために第１のＣＣＡ手順と第２のＣＣＡ手順の両方を実施し得る。
【００４３】
[0060]ワイヤレス通信システム２００におけるスタンドアロン（ＳＡ）モードの一例では、ｅＮＢ２０５は、双方向リンク２４０を使用してＯＦＤＭＡ通信信号をＵＥ２１５−ｂに送信し得、無認可無線周波数スペクトル帯域における周波数に関連付けられ得る双方向リンク２４０を使用してＳＣ−ＦＤＭＡ通信信号を同じＵＥ２１５−ｂから受信し得る。双方向リンク２４０は、いくつかの例によれば、ＴＤＤ通信を使用して動作し得る。双方向リンク２４０は、ダウンリンク容量およびアップリンク容量のオフロードをｅＮＢ２０５に提供し得る。この例および上記で提供した例は説明のために提示され、容量オフロードのために他の同様の動作のモードまたは展開シナリオが存在し得る。
【００４４】
[0061]上記で説明したように、無認可無線周波数スペクトル帯域を使用することによって提供される容量オフロードから恩恵を受け得るサービスプロバイダは、認可無線周波数スペクトル帯域を用いる従来のＭＮＯであり得る。これらのサービスプロバイダにとって、運用上の構成は、認可無線周波数スペクトル帯域上の１次コンポーネントキャリア（ＰＣＣ）と無認可無線周波数スペクトル帯域上の２次コンポーネントキャリア（ＳＣＣ）とを使用するブートストラップモード（たとえば、補助ダウンリンク、キャリアアグリゲーション）を含み得る。
【００４５】
[0062]ＳＤＬモードでは、制御は、認可無線周波数スペクトル帯域中でＬＴＥアップリンク（たとえば、双方向リンク２２５のアップリンク部分）を介してトランスポートされ得る。ダウンリンク容量オフロードを与える理由の１つは、データ需要が大部分はダウンリンク消費によって引き起こされるからである。その上、このモードでは、ＵＥ２１５が無認可無線周波数スペクトル帯域において送信していないので、規制上の影響が小さいことがある。
【００４６】
[0063]ＣＡモードでは、データおよび制御は、認可無線周波数スペクトル帯域を使用してＬＴＥ（たとえば、双方向リンク２３５）において通信され得、一方、データは、無認可無線周波数スペクトル帯域を使用する双方向リンク２３０を使用して通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り（fall under）得る。
【００４７】
[0064]様々な動作モードのいずれかにおいて、通信は、無認可無線周波数スペクトル帯域中の１または複数のキャリア周波数上で送信され得る。様々な例によれば、上述のように、通信はＴＤＤ技法に従って送信され得る。理解されるように、ＴＤＤ通信におけるいくつかのサブフレームはダウンリンクデータを含み得、いくつかのサブフレームはアップリンクデータを含み得る。
【００４８】
[0065]図３は、本開示の態様による、隣接する基地局と、関連するＵＥと、他のスペクトルユーザとの一例を概念的に示すブロック図である。この例では、複数のｅＮＢ３０５−ａおよび３０５−ｂがそれぞれ重複するカバレージエリア３１０−ａおよび３１０−ｂを有し得る、ワイヤレス通信システム３００の一部分が示されている。この例では、ｅＮＢ３０５−ａは、無認可無線周波数スペクトル帯域において通信リンク３２５−ａを使用してＵＥ３１５−ａと通信し得る。同様に、ｅＮＢ３０５−ｂは、無認可無線周波数スペクトル帯域において通信リンク３２５−ｂを使用してＵＥ３１５−ｂと通信し得る。いくつかの展開によれば、ｅＮＢ３０５およびＵＥ３１５は、協調され、ｅＮＢ３０５間で協調された競合期間中に各同期フレーム上で独立してチャネルについて競合し得る。図３の例では、この例ではＷｉ−Ｆｉアクセスポイント３３０およびレーダーシステム３４０を含む他のユーザも、無認可無線周波数スペクトル帯域において信号を送信し得る。Ｗｉ−Ｆｉアクセスポイント３３０は、無認可無線周波数スペクトル帯域においてＷｉ−Ｆｉ信号３３５を送信し得、レーダーシステム３４０は、無認可無線周波数スペクトル帯域においてレーダー信号３４５を送信し得る。
【００４９】
[0066]上述のように、Ｗｉ−Ｆｉアクセスポイント３３０は、１または複数の他のデバイスと非同期的に通信し得、無線周波数スペクトル帯域へのアクセスを求めているいずれかの他のデバイスに勝る優先順位を有しないことがある。したがって、Ｗｉ−Ｆｉアクセスポイント３３０は、無認可無線周波数スペクトル帯域にアクセスするために使用される標準のＬＢＴ手順を通して無線周波数スペクトル帯域へのチャネルアクセスを獲得し得る。ｅＮＢ３０５の一方または両方のＣＣＡ手順中にＷｉ−Ｆｉアクセスポイント３３０が送信している場合、Ｗｉ−Ｆｉアクセスポイント３３０は無線周波数スペクトル帯域チャネルを獲得し得、ｅＮＢ３０５は、ＣＣＡ手順が成功するまで無線周波数スペクトル帯域チャネルを使用して送信しないはずである。
【００５０】
[0067]しかしながら、レーダーシステム３４０は無線周波数スペクトル帯域の優先使用を有し得、同期伝送プロトコルに従って動作しているｅＮＢ３０５は、協調された競合間隔中に無線周波数スペクトル帯域を監視することしかしていないとき、レーダーシステム３４０からの１または複数のレーダー信号３４５を検出しないことがある。たとえば、米国では、連邦通信委員会（ＦＣＣ）が、パルス繰返し間隔（ＰＲＩ：Pulse Repetition Interval）と、パルス幅と、パルスバースト長とに基づいて区別されるいくつかの異なるレーダーテスト波形を指定している。ＦＣＣはまた、成功した検出の最小パーセンテージと、テスト波形の試行の数とを指定している。
【００５１】
[0068]表１〜表３は、それぞれ、ショートパルスレーダーテスト波形と、ロングパルスレーダーテスト波形と、周波数ホッピングレーダーテスト波形とについての現在の仕様を与える。
【表１】
0006486911.tif 000002
【表２】
0006486911.tif 000003
【表３】
0006486911.tif 000004
したがって、様々な異なるレーダータイプのレーダーテスト信号を確実に検出するために、無線周波数スペクトル帯域チャネルは、レーダータイプ２、３、または４の存在を検出するために、１．５ミリ秒の送信後に少なくとも０．５ミリ秒間監視されるべきである。さらに、レーダータイプ１または５の存在を検出するために、無線周波数スペクトル帯域チャネルは、７．５ミリ秒の送信後に少なくとも２．０ミリ秒間監視されるべきである。いくつかの例によれば、以下でより詳細に説明するように、ｅＮＢ３０５、またはＵＥ３１５は、無線周波数スペクトル帯域チャネルが監視されるべきである時間に対応する間欠送信（ＤＴＸ）期間中にＣＣＡ手順を実施し得る。
【００５２】
[0069]同様に、欧州のいくつかの部分では、欧州通信規格協会（ＥＴＳＩ）が、パルス繰返し間隔（ＰＲＩ）と、パルス幅と、バーストごとのパルスとに基づいて区別されるいくつかの異なるレーダーテスト波形を指定している。表４は現在のＥＴＳＩ仕様を与える。
【表４】
0006486911.tif 000005
したがって、レーダータイプ３、４、および６のレーダーテスト信号を確実に検出するために、ＦＣＣテスト信号に関して上記で説明したような監視はこれらの信号タイプをも検出し得る。ＥＴＳＩレーダー信号タイプ１、２、または５について、無線周波数スペクトル帯域チャネルは、各１０ミリ秒送信期間フレームにおいて少なくとも５．０ミリ秒間監視されるべきである。いくつかの例では、以下でより詳細に説明するように、２つの１０ミリ秒送信期間がバンドルされ得、無線周波数スペクトル帯域チャネルは、これらの２つの連続する送信期間中の送信の１３．５ミリ秒ごとに５ミリ秒間監視され得る。
【００５３】
[0070]したがって、いくつかの例によれば、第１のＣＣＡ手順において無線周波数スペクトル帯域を獲得するｅＮＢ３０５またはＵＥ３１５は、無線周波数スペクトル帯域が使用のために利用可能であると決定するために、すなわち、レーダーシステム３４０が、前の第１のＣＣＡ手順以来、送信することを開始していないと決定するために、１または複数のＤＴＸ期間中に１または複数の第２のＣＣＡ手順を実施し得る。無線周波数スペクトル帯域が使用のために利用可能でない場合、競合に勝ったｅＮＢ３０５は、送信せず、後続のＤＴＸ期間において別のＣＣＡ手順を実施し得る。無線周波数スペクトル帯域が、後続のＤＴＸ期間においてＣＣＡ手順に従って利用可能である場合、ｅＮＢ３０５は送信を再開し得る。競合に負けたｅＮＢ３０５は、次の協調された競合期間までＣＣＡを再び実施しないはずであり、したがって、ＤＴＸ期間のうちの１または複数の期間中にＣＣＡを実施しないはずである。ＤＴＸ期間およびＣＣＡ手順に関する様々な例について以下でより詳細に説明する。
【００５４】
[0071]上述のように、いくつかの展開によれば、複数のオペレータは、無認可無線周波数スペクトル帯域を使用してアクセスポイント送信を協調させ得る。図４は、本開示の態様による、無線フレームと、関連するサブフレームと、協調された競合ベースの無線周波数スペクトル帯域アクセスのためのダウンリンクＣＣＡ間隔との一例を概念的に示すブロック図である。図４の例４００では、無線フレームは、ＬＴＥ無線フレームと同期した送信期間４０５を有する。いくつかの例では、送信期間４０５は１０ミリ秒である。この例では、９つのダウンリンクサブフレーム４２５と１つの特殊（special）（Ｓ’）サブフレーム４３０とを有する補助ダウンリンクフレーム４１０、４１５、および４２０が示されている。Ｓ’サブフレーム４３０は、無認可無線周波数スペクトル帯域に関係する様々な規制によって必要とされる最小オフ時間を提供することを受け持ち（serves）、また、図１、図２、および／または図３に関して上記で説明したアクセスポイント、基地局、あるいはｅＮＢ１０５、２０５、および／または３０５など、基地局、アクセスポイント、またはｅＮＢによってダウンリンクＣＣＡ（ＤＣＣＡ）が実施され得るサブフレームである。図１、図２、および／または図３に関して上記で説明したＵＥ１１５、２１５、および／または３１５などのＵＥは、そのようなシステムにおいて送信するより前に同様のＣＣＡ手順を実施し得る。
【００５５】
[0072]ＴＤＤに従って動作するキャリアアグリゲーションおよび／またはスタンドアロンモードなどの他の例では、１つまたは複数のサブフレームはアップリンクサブフレームであり得、特殊サブフレーム４３０は、ダウンリンクサブフレーム４２５とアップリンクサブフレームとの間の遷移（a transition）として働き得、別の特殊サブフレームは、アップリンクサブフレームとダウンリンクサブフレーム４２５との間の遷移として働くために使用される。ＣＣＡの成功に続いて、ｅＮＢは、ｅＮＢがチャネルを獲得したという指示を提供するためにチャネル使用ビーコン信号（ＣＵＢＳ）４４０を送信し得、それに続いて、いくつかのサブフレームを含み得るＬＴＥベース波形４４５を送信し得る。
【００５６】
[0073]上記で説明したように、いくつかの例によれば、ＣＣＡの成功に続いて、ｅＮＢ（またはＵＥ）は、無線周波数スペクトル帯域が送信のために利用可能であると決定するためにＤＴＸ期間中にＣＣＡを実施し得る。そのようなＤＴＸ期間および関連するＣＣＡは、無線周波数スペクトル帯域において優先順位（priority）を有する上記で説明したようなレーダー信号の検出を可能にし得、無線周波数スペクトル帯域を使用する他のデバイスの同じ競合ベースのＬＢＴ手順を実施しない。ＤＴＸ期間および関連するＣＣＡはまた、たとえば、無線周波数スペクトル帯域にアクセスするために競合ベースのＬＢＴ手順に従って動作するＷｉ−Ｆｉアクセスポイントなど、別のデバイスがＤＴＸ期間中に無線周波数スペクトル帯域を使用することを開始したと決定し得る。他のデバイスはこれらのＤＴＸ期間中にチャネルアクセスを取得し得るが、アクセスポイントの協調セット中の他のアクセスポイントは、これらのＤＴＸ期間中に無線周波数スペクトル帯域チャネルアクセスについて競合しない。
【００５７】
[0074]図５は、本開示の態様による、無線フレームと、関連するサブフレームと、競合ベースおよび非競合ベースの無線周波数スペクトル帯域アクセスのためのダウンリンクＣＣＡ間隔との一例を概念的に示すブロック図である。図５の例５００では、無線フレームは、ＬＴＥ無線フレームと同期し得、たとえば、１０ミリ秒期間を有し得る、送信期間５０５を有する。この例では、図１、図２、および／または図３に関して上記で説明したアクセスポイント、基地局、あるいはｅＮＢ１０５、２０５、および／または３０５など、無認可無線周波数スペクトル帯域を介してＬＴＥ通信しているｅＮＢは、９つのダウンリンクサブフレーム５１５および特殊（Ｓ’）サブフレーム５２０を用いて補助ダウンリンクモードで無線フレーム５１０を送信し得る。送信期間５０５の開始の直前にダウンリンクＣＣＡ（ＤＣＣＡ）手順５２５が実施され得、ここでは、無線周波数スペクトル帯域についての競合に勝ったノードによってＣＵＢＳ５３０が送信される。ＤＣＣＡ５２５の間に、以下でより詳細に説明するように、ＤＴＸ期間中に様々な例に従って追加のＤＣＣＡ５４０が実施され得る。
【００５８】
[0075]図５の例では、Ｓ’サブフレーム５２０は、図５において０〜１３の番号を付された１４個のＯＦＤＭシンボルを含み得る。Ｓ’サブフレームの最初の部分、この例ではシンボル０〜５は、無認可無線周波数スペクトル帯域を使用するために必要とされ得るオフ時間としてｅＮＢによって使用され得る。したがって、ＵＥはこの期間中に何らかの量のデータを送信し得るが、ｅＮＢはそのような期間中にデータを送信せず、したがって、様々な例によれば、この期間中に何らかのアップリンクデータが送信され得る。Ｓ’サブフレーム５２０の第２の部分はＤＣＣＡ５２５のために使用され得る。図５の例では、Ｓ’サブフレーム５２０は、Ｓ’サブフレーム５２０のシンボル６〜１２中に含まれる７つのＤＣＣＡ間隔を含む。いくつかの展開では、様々なｅＮＢおよび様々なオペレータは、ＤＣＣＡ５２５手順中に無線周波数スペクトル帯域について競合するための優先度インデックスを割り当てられ得る。いくつかの例では、ＤＣＣＡ５２５を実施するために７つの可能な間隔のうちのどれが使用されるかを決定するために、ｅＮＢは、たとえば、図１に関して説明したようなコアネットワークまたはＣＣＡ協調マネージャから提供されるマッピング関数または他のシグナリングを評価し得る。ＤＣＣＡ手順５２５において競合に勝ったｅＮＢは、勝ったｅＮＢが、送信期間５０５のための無線周波数スペクトル帯域について競合に勝ったことを示す、他のデバイスによって受信され得るＣＵＢＳ５３０を送信し得る。ＣＵＢＳ送信の持続時間は、競合に勝ったｅＮＢの優先度インデックスと、ＯＦＤＭシンボル６〜１２のうちのどれがｅＮＢによって使用されるかとに依存する。
【００５９】
[0076]図６は、本開示の態様による、ＤＴＸ期間とダウンリンクＣＣＡ間隔とを概念的に示すブロック図である。この例６００では、チャネルアクセスの前にＬＢＴ手順を必要とする無線周波数スペクトル帯域を使用して送信する、図１、図２、および／または図３に関して上記で説明したアクセスポイント、基地局、あるいはｅＮＢ１０５、２０５、および／または３０５などのｅＮＢによって観測され得る、３つの連続するフレーム６１０が示されている。各フレームは、１つまたは複数のｅＮＢまたは他のネットワークノードの同期ＬＴＥ送信６１５に対応するＬＴＥフレーム期間６５０に対応する、送信期間６０５−１、６０５−２、および６０５−３をそれぞれ有し得る。上記で説明したのと同様に、ｅＮＢは、後続の送信期間６０５−１のための無線周波数スペクトル帯域について競合するために、送信期間６０５−１の開始の直前に第１のダウンリンクＣＣＡ６２５を行い得る。第１のダウンリンクＣＣＡ手順６２５は、複数のオペレータ、レーダー信号、あるいは１または複数の他のユーザのうちの１または複数が、無線周波数スペクトル帯域の使用を禁止し得る信号を送信しているかどうかを決定し得る。ダウンリンクＣＣＡ６２５は、たとえば、複数のオペレータおよび／または複数のｅＮＢの間で協調された競合期間中に実施され得る。ｅＮＢが無線周波数スペクトル帯域についての競合に勝ったとき、ＣＵＢＳ６３０が送信される。
【００６０】
[0077]この例では、無線周波数スペクトル帯域についての競合の勝者によって複数のＤＴＸ期間６３５が観測され、第１のＣＣＡ手順の成功した完了時に、無線周波数スペクトル帯域の利用可能性を決定するために各ＤＴＸ期間６３５中に競合の勝者によって第２のＣＣＡ手順６４０が実施され得る。この例では、送信期間６０５の最後に最終ＤＴＸ期間６４５も観測される。ＤＴＸ期間６３５および６４５は、レーダー信号など、無線周波数スペクトル帯域を使用する信号の１または複数の特性に基づき得る送信期間６０５における周期性によって生じる。たとえば、ＤＴＸ期間６３５の周期性は、ＦＣＣレーダータイプ２、３、または４レーダー送信に基づく送信期間６０５中の２ミリ秒ごとに０．５ミリ秒ＤＴＸ期間を備え得る。ＤＴＸ期間６４５の周期性は、ＦＣＣレーダータイプ１または５レーダー送信に基づく送信期間６０５中の７．５ミリ秒ごとに２．０ミリ秒ＤＴＸ期間を備え得る。ダウンリンクＣＣＡ手順６４０が、無線周波数スペクトル帯域が送信のために利用可能であることを示す場合、ｅＮＢは、ＣＣＡ手順６４０の実施に基づいてＤＴＸ期間６３５または６４５に続く送信期間の一部分中に無線周波数スペクトル帯域を介して送信し得る。
【００６１】
[0078]図６の例では、ｅＮＢは、第２の送信期間６０５−２において無線周波数スペクトル帯域について競合に負け得、その場合、ｅＮＢは、第２の送信期間６０５−２の最後における協調されたＣＣＡ間隔まで、第２の送信期間６０５−２中に無線周波数スペクトル帯域を使用して送信せず、ＣＣＡも実施せず、第２の送信期間６０５−２の最後における協調されたＣＣＡ間隔のポイントにおいて、ｅＮＢは再び競合に勝ち、送信を開始し得、送信期間６０５−３に関するＤＴＸ期間６３５および６４５を観測する。この例では、ｅＮＢは、ＣＣＡ６４０のうちの１つに続いて無線周波数スペクトル帯域チャネルが占有されていることを検出し得、後続のＣＣＡ６４０が、無線周波数スペクトル帯域が送信のために再び利用可能であることを示すまで、無線周波数スペクトル帯域を使用して送信しない。
【００６２】
[0079]いくつかの例によれば、ＤＴＸ期間６３５および６４５の持続時間は、ワイヤレス通信ネットワークに関するシステム負荷に応答して適応的に決定され得る。そのような適応的な決定は、ＤＴＸ期間と、関連するダウンリンクＣＣＡ６４０とに関連するオーバーヘッドを低減し得る。たとえば、比較的軽い負荷では、ＤＴＸ期間６３５は、ＬＢＴ要件を満たすのにちょうど十分な時間であり得る１つまたは２つのＯＦＤＭシンボルであり得る。中程度から比較的重い負荷では、ＤＴＸ期間６３５は０．５ミリ秒であり得る。たとえば、ｅＮＢは、上記で説明したのと同様に、０．５ミリ秒ギャップをもつＤＴＸ期間を有するフレーム構造で開始し得る。何らかの数の秒、分、時、または日など、構成可能な時間量の間にレーダー信号が検出されない場合、ｅＮＢは、０．５ミリ秒ＤＴＸ期間をもつフレームが何秒かごとに周期的に生じる適応フレーム構造に切り替わり得、他の場合、ＤＴＸ期間は、２ミリ秒ごとに１つまたは２つのＯＦＤＭシンボルなど、小さい。そのようにして、ＤＴＸ期間６３５および６４５に関連するオーバーヘッドは低減され得る。そのような例では、ＤＴＸ期間は、ダウンリンク許可中でおよび／または他のリソース許可情報中で示され得る。そのような例では、チャネル状態情報測定（たとえば、ＲＲＭ／ＲＬＭ測定）を実施するとき、ＵＥは、ＵＥに対処するときのダウンリンク許可チャネルを読み取るとき、より大きいＤＴＸ期間のようなタイミングを仮定して取られるＣＳＩ測定がより正確な測定値を提供し得るように、より大きいＤＴＸ期間を仮定し得る。
【００６３】
[0080]図７は、本開示の態様による、ＤＴＸ期間とダウンリンクＣＣＡ間隔とを概念的に示すブロック図である。この例７００では、チャネルアクセスの前にＬＢＴ手順を必要とする無線周波数スペクトル帯域を使用して送信する、図１、図２、および／または図３に関して上記で説明したアクセスポイント、基地局あるいはｅＮＢ１０５、２０５、および／または３０５などのｅＮＢによって観測され得る、４つの連続するフレーム７５０〜７６５が示されている。各フレーム７５０〜７６５は、１または複数のｅＮＢまたは他のネットワークノードの同期ＬＴＥ送信のＬＴＥフレーム期間に対応し得る送信期間を有し得る。上記で説明したのと同様に、ｅＮＢは、後続の送信期間のための無線周波数スペクトル帯域について競合するために、フレーム７５０に対応する送信期間の開始の直前に第１のダウンリンクＣＣＡ７２５を行い得る。この例におけるＤＴＸ期間７４５は２つの連続するフレーム７５０、７５５にわたるので、この例では、協調ノードのための連続する競合期間はＬＴＥフレーム長に直接対応しないことがある。フレーム７５０より前の第１のダウンリンクＣＣＡ手順７２５は、複数のオペレータ、レーダー信号、あるいは１または複数の他のユーザのうちの１または複数が、無線周波数スペクトル帯域の使用を禁止し得る信号を送信しているかどうかを決定し得る。後続のダウンリンクＣＣＡ手順７２５は、ＤＴＸ期間７４５がフレーム７５５に及ぶので、フレーム７５０の終わりにおいてではなく、フレーム７５５のサブフレーム３において行われ得る。ダウンリンクＣＣＡ７２５は、たとえば、複数のオペレータおよび／または複数のｅＮＢの間で協調された競合期間中に実施され得る。ｅＮＢがダウンリンクＣＣＡ７２５における無線周波数スペクトル帯域についての競合に勝ったとき、ＣＵＢＳ７３０が送信される。いくつかの例によれば、ＤＴＸ期間７３５および７４５の持続時間は、図６に関して説明したのと同様に、ワイヤレス通信ネットワークに関するシステム負荷に応答して適応的に決定され得る。
【００６４】
[0081]図７の例を続けると、無線周波数スペクトル帯域についての競合の勝者によって複数のＤＴＸ期間７３５が観測され、第１のＣＣＡ手順の成功した完了時に、無線周波数スペクトル帯域の利用可能性を決定するために各ＤＴＸ期間７３５中に競合の勝者によって第２のＣＣＡ手順７４０が実施され得る。この例では、２つのフレーム、すなわち、この例のフレーム７５０〜７５５および７６０〜７６５にわたるＤＴＸ期間７４５が観測される。ＤＴＸ期間７３５および７４５は、レーダー信号など、無線周波数スペクトル帯域を使用する信号の１または複数の特性に基づき得る周期性によって生じる。たとえば、ＤＴＸ期間７３５の周期性は、ＦＣＣレーダータイプ２、３、または４レーダー送信またはＥＴＳＩレーダータイプ３、４、または６レーダー送信に基づく、フレーム７５０に関連する送信期間中の２ミリ秒ごとに０．５ミリ秒ＤＴＸ期間を備え得る。ＤＴＸ期間７４５の周期性は、ＥＴＳＩレーダータイプ１、２または５レーダー送信に基づく、２つの連続するフレーム７５０、７５５中の１３．５ミリ秒ごとに５．０ミリ秒ＤＴＸ期間を備え得る。ダウンリンクＣＣＡ手順７４０が、無線周波数スペクトル帯域が送信のために利用可能であることを示す場合、ｅＮＢは、ＣＣＡ手順７４０の実施に基づいてＤＴＸ期間７３５または７４５に続く送信期間の一部分中に無線周波数スペクトル帯域を介して送信し得る。
【００６５】
[0082]図７の例では、ｅＮＢは、第２のフレーム７５５中に無線周波数スペクトル帯域について競合に負け得、その場合、ｅＮＢは、フレーム７５５の最後における協調されたＣＣＡ間隔まで、フレーム７５５の残りの間に無線周波数スペクトル帯域を使用して送信せず、ＣＣＡも実施せず、フレーム７５５の最後における協調されたＣＣＡ間隔のポイントにおいて、ｅＮＢは再び競合に勝ち、送信を開始し得、フレーム７６０に関するＤＴＸ期間７３５および７４５を観測する。この例では、ｅＮＢが、ＣＣＡ７４０のうちの１つに続いて無線周波数スペクトル帯域チャネルが占有されていることを検出した場合、ｅＮＢは、後続のＣＣＡ７４０または７２５が、無線周波数スペクトル帯域が送信のために再び利用可能であることを示すまで、無線周波数スペクトル帯域を使用して送信しないであろう。
【００６６】
[0083]図８は、本開示の態様による、ＤＴＸ期間と、ダウンリンクＣＣＡ間隔と、アップリンク送信とを概念的に示すブロック図である。この態様では、ＴＤＤの例８００が表されており、ここでは、図１、図２、および／または図３のアクセスポイント、基地局あるいはｅＮＢ１０５、２０５、および／または３０５など、ｅＮＢによって連続フレーム８５０および８５５が観測される。ｅＮＢは、ダウンリンクＣＣＡ８２５において競合に勝ち、初期フレーム８５０において開始する送信より前にＣＵＢＳ８３０を送信し得る。この例では、フレーム８５０においてｅＮＢによって複数のＤＴＸ期間８３５が観測され、ＣＣＡ８４０が、無線周波数スペクトル帯域が特に占有されていることを示す場合、ｅＮＢは無線周波数スペクトル帯域において送信しない。ＤＴＸ期間８３５および／または８６０のうちの１または複数の期間中に、ＵＥ（ｋ）からのアップリンク送信がｅＮＢにおいて受信され得、ＵＥ（ｋ）は、アップリンクＣＣＡ（ＵＣＣＡ）８７０を実施して、無線周波数スペクトル帯域にアクセスするための競合に勝っていることがあり、期間８６５中にアップリンクデータを送信する。いくつかの例では、アップリンクＣＣＡ８７０を可能にするためにガード期間８７５が提供され得る。
【００６７】
[0084]図８の例では、ＵＥ（ｎ）は、アップリンクＣＣＡ８７０に負け、期間８６５中に送信することも他のアップリンクＣＣＡを試みることもしない。そのようにして、無線周波数スペクトル帯域は、ｅＮＢによって観測されるＤＴＸ期間中に利用され続け得、それにより、ＤＴＸ期間から生じるオーバーヘッドが低減し得る。いくつかの例では、ＤＴＸ期間８３５および８６０、ならびに対応するダウンリンクＣＣＡ８２５および８４０は、約４０％の２次セル（Ｓｃｅｌｌ）においてオーバーヘッドを生じ得、アップリンク通信のためにＤＴＸ期間８３５または８６０のうちの１または複数を利用することにより、いくつかの例では、Ｓｃｅｌｌにおけるオーバーヘッドが約２８％に低減し得る。いくつかの例では、アップリンク送信のために複数のサブフレームにわたるＤＴＸ期間のみが使用され得るが、他の例では、たとえば、ＰＵＳＣＨおよび／またはＰＵＣＣＨ送信などのアップリンク送信のために０．５ミリ秒のＤＴＸ期間が使用され得る。いくつかの展開では、アップリンク送信を行うためにサブフレームサイズが修正され得る。たとえば、データを送信するＵＥは、アップリンク通信を送信するより前にアップリンクＣＣＡ８７０などのＬＢＴ手順を実施することを要求されるので、アップリンクサブフレームは、全０．５ミリ秒ＤＴＸ期間を使用しないことがある。そのような場合、アップリンクサブフレームサイズは、０．５ミリ秒未満のＤＴＸ期間とともに使用するために調整され得る。
【００６８】
[0085]図８に示されているように、ｅＮＢが、フレーム８５５に示されているように無線周波数スペクトル帯域を獲得しない場合、ＵＥは、無線周波数スペクトル帯域に勝った別のｅＮＢが、アップリンク送信期間８６５に対応するＤＴＸ期間を有することになるように、ｅＮＢへのアップリンクチャネルアクセスについて依然として競合し得る。したがって、ＵＥ（ｋ）は、アップリンクＣＣＡ８７０中に無線周波数スペクトル帯域について競合し、ｅＮＢがフレーム８５５の対応するダウンリンク部分を獲得していないことがあっても、フレーム８５５中でアップリンクデータを送信するために無線周波数スペクトル帯域を獲得し得る。
【００６９】
[0086]図９は、本開示の態様による、ＤＴＸ期間と、ダウンリンクＣＣＡ間隔と、アップリンク送信とを概念的に示すブロック図である。この態様では、ＴＤＤの例９００が表されており、ここでは、図１、図２、および／または図３のアクセスポイント、基地局あるいはｅＮＢ１０５、２０５、および／または３０５など、ｅＮＢによって連続フレーム９５０および９５５が観測される。ｅＮＢは、ダウンリンクＣＣＡ９２５において競合に勝ち、初期フレーム９５０において開始する送信より前にＣＵＢＳ９３０を送信し得る。この例では、フレーム９５０においてｅＮＢによって複数のＤＴＸ期間９３５が観測され、ＣＣＡ９４０が、無線周波数スペクトル帯域が特に占有されていることを示す場合、ｅＮＢは無線周波数スペクトル帯域において送信しない。ＤＴＸ期間９３５および／または９４５のうちの１または複数の期間中に、ＵＥ（ｋ）からのアップリンク送信がｅＮＢにおいて受信され得、ＵＥ（ｋ）は、アップリンクＣＣＡ（ＵＣＣＡ）９７０を実施して、無線周波数スペクトル帯域にアクセスするための競合に勝っていることがあり、期間９６５中にアップリンクデータを送信する。
【００７０】
[0087]図９の例では、ＵＥ（ｎ）は、アップリンクＣＣＡ９７０に負け、期間９６５中に送信することも他のアップリンクＣＣＡを試みることもしない。そのようにして、無線周波数スペクトル帯域は、ｅＮＢによって観測されるＤＴＸ期間中に利用され続け得、それにより、ＤＴＸ期間から生じるオーバーヘッドが低減し得る。いくつかの例では、ＤＴＸ期間９３５および９４５、ならびに対応するダウンリンクＣＣＡ９２５および９４０は、約４５％の２次セル（Ｓｃｅｌｌ）におけるオーバーヘッドを生じ得、アップリンク通信のためにＤＴＸ期間９３５または９４５のうちの１または複数を利用することにより、いくつかの例では、Ｓｃｅｌｌにおけるオーバーヘッドが約２７％に低減し得る。いくつかの例では、アップリンク送信のために複数のサブフレームにわたるＤＴＸ期間のみが使用され得るが、他の例では、たとえば、ＰＵＳＣＨおよび／またはＰＵＣＣＨ送信などのアップリンク送信のために０．５ミリ秒のＤＴＸ期間が使用され得る。いくつかの展開では、上記で説明したのと同様に、アップリンク送信を行うためにサブフレームサイズが修正され得る。たとえば、データを送信するＵＥは、アップリンク通信を送信するより前にアップリンクＣＣＡ９７０などのＬＢＴ手順を実施することを要求されるので、アップリンクサブフレームは、全０．５ミリ秒ＤＴＸ期間を使用しないことがある。そのような場合、アップリンクサブフレームサイズは、０．５ミリ秒未満のＤＴＸ期間とともに使用するために調整され得る。
【００７１】
[0088]図１０Ａおよび図１０Ｂは、本開示の態様による、ＤＴＸ期間と、ダウンリンクＣＣＡ間隔と、チャネル測定リソースとを概念的に示すブロック図である。この例では、チャネルアクセスの前にＬＢＴ手順を必要とする無線周波数スペクトル帯域を使用して送信する、図１、図２、および／または図３に関して上記で説明したアクセスポイント、基地局あるいはｅＮＢ１０５、２０５、および／または３０５などのｅＮＢによって観測され得る、９つの連続するフレーム１０５０〜１０９０が示されている。各フレーム１０５０〜１０９０は、１または複数の協調されたｅＮＢまたは他のネットワークノードの同期したＬＴＥフレームに対応し得る。上記で説明したのと同様に、ｅＮＢは、フレーム＃０  １０５０に関連する後続の送信期間のための無線周波数スペクトル帯域について競合するために、送信フレーム＃０  １０５０の開始の直前に第１のダウンリンクＣＣＡ１０２５を行い得る。第１のダウンリンクＣＣＡ手順１０２５は、複数のオペレータ、レーダー信号、あるいは１または複数の他のユーザのうちの１または複数が、無線周波数スペクトル帯域の使用を禁止し得る信号を送信しているかどうかを決定し得る。ダウンリンクＣＣＡ１０２５は、たとえば、複数のオペレータおよび／または複数のｅＮＢの間で協調された競合期間中に実施され得る。ｅＮＢが無線周波数スペクトル帯域についての競合に勝ったとき、ＣＵＢＳ１０３０が送信される。
【００７２】
[0089]この例では、無線周波数スペクトル帯域についての競合の勝者によって複数のＤＴＸ期間１０３５および１０４５が観測され、第１のＣＣＡ手順の成功した完了時に、無線周波数スペクトル帯域の利用可能性を決定するために各ＤＴＸ期間１０３５および１０４５中に競合の勝者によって第２のＣＣＡ手順１０４０が実施され得る。ダウンリンクＣＣＡ手順１０４０が、無線周波数スペクトル帯域が送信のために利用可能であることを示す場合、ｅＮＢは、ＣＣＡ手順１０４０の実施に基づいてＤＴＸ期間１０３５または１０４５に続く送信期間の一部分中に無線周波数スペクトル帯域を介して送信し得る。
【００７３】
[0090]図１０Ａおよび図１０Ｂの例では、ｅＮＢは、フレーム＃１  １０５５のための無線周波数スペクトル帯域について競合に負け得、その場合、ｅＮＢは、フレーム＃１  １０５５の最後における協調されたＣＣＡ間隔まで、フレーム＃１  １０５５に関連する送信期間中に無線周波数スペクトル帯域を使用して送信せず、ＣＣＡも実施せず、フレーム＃１  １０５５の最後における協調されたＣＣＡ間隔のポイントにおいて、ｅＮＢは再び競合に勝ち、送信を開始し得、フレーム＃２  １０６０に関するＤＴＸ期間１０３５および１０４５を観測する。図１０Ａおよび図１０Ｂの例１０００−ａおよび１０００−ｂでは、ランクインジケータ（ＲＩ）測定またはチャネル状態情報（ＣＳＩ）測定、基準信号受信電力（ＲＳＲＰ）測定、または基準信号受信品質（ＲＳＲＱ）測定のうちの１または複数がＵＥによって実施され得る。そのような測定のために使用されるダウンリンクリソースは、ｅＮＢがＣＳＩ基準信号（ＣＳＩ−ＲＳ）を送信しているサブフレーム上でその測定が行われることを規定するように選択され得る。例１０００−ａおよび１０００−ｂでは、リソース１００５はそのような測定のために選択されている。いくつかの例では、リソース１００５は、成功したダウンリンクＣＣＡ１０２５に続いて第１のデータサブフレームを含み得、なぜならば、データはこのサブフレーム中にｅＮＢから送信される可能性が高いからである。他のリソース１００５は、成功したダウンリンクＣＣＡ１０４０に基づいて選択される。いくつかの例では、すべてのサブフレームにおいて干渉測定が実施され得、干渉測定リソース（ＩＭＲ：interference measurement resource）測定のために、リソース１００５に関連する第１のサブフレームが使用され得る。リソース１００５はまた、いくつかの例では、１または複数のＣＣＡを免除された送信（ＣＥＴ：CCA Exempt Transmission）を考慮するように選択され得る。ＣＥＴは、１ミリ秒未満の持続時間を有し得、フレーム内の１または複数のサブフレーム中で送信され得る。ＣＥＴが送信され得る例では、ＣＥＴ送信は干渉測定に影響を及ぼすことがあり、リソース１００５は、１または複数のＣＥＴを考慮するように選択され得る。
【００７４】
[0091]図１１Ａおよび図１１Ｂは、本開示の態様による、ワイヤレス通信において使用するための、基地局またはＵＥなどのデバイスを概念的に示すブロック図である。最初に図１１Ａを参照すると、ブロック図１１００は、様々な例による、ワイヤレス通信において使用するためのデバイス１１０５を示している。いくつかの例では、デバイス１１０５は、図１、図２、および／または図３に関して説明したアクセスポイント、基地局もしくはｅＮＢ１０５、２０５、３０５、および／またはＵＥ１１５、２１５、３１５の１または複数の態様の一例であり得る。デバイス１１０５はプロセッサでもあり得る。デバイス１１０５は、受信機モジュール１１１０、ＣＣＡモジュール１１２０、および／または送信機モジュール１１３０を含み得る。これらの構成要素の各々は互いに通信中であり得る。
【００７５】
[0092]デバイス１１０５の構成要素は、適用可能な機能の一部または全部をハードウェアで実施するように適応された１または複数の特定用途向け集積回路（ＡＳＩＣ）を用いて、個々にまたはまとめて実装され得る。代替的に、それらの機能は、１または複数の他の処理ユニット（またはコア）によって、１または複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１または複数の汎用プロセッサまたは特定用途向けプロセッサによって実行されるようにフォーマットされた、メモリに組み込まれた命令を用いて実装され得る。
【００７６】
[0093]いくつかの例では、受信機モジュール１１１０は、認可無線周波数スペクトル帯域および／または無認可無線周波数スペクトル帯域において送信を受信するように動作可能なＲＦ受信機などの無線周波数（ＲＦ）受信機であるか、またはそれを含み得る。受信機モジュール１１１０は、図１、図２、および／または図３に関して説明したワイヤレス通信システム１００、２００、および／または３００の１または複数の通信リンク１２５、２２０〜２４０、および／または３２５など、認可無線周波数スペクトル帯域と無認可無線周波数スペクトル帯域とを含むワイヤレス通信システムの１または複数の通信リンクを介して、様々なタイプのデータおよび／または制御信号（すなわち、送信）を受信するために使用され得る。
【００７７】
[0094]いくつかの例では、送信機モジュール１１３０は、認可無線周波数スペクトル帯域および／または無認可無線周波数スペクトル帯域において送信するように動作可能なＲＦ送信機などのＲＦ送信機であるか、またはそれを含み得る。送信機モジュール１１３０は、図１、図２、および／または図３に関して説明したワイヤレス通信システム１００、２００、および／または３００の１または複数の通信リンク１２５、２２０〜２４０、および／または３２５など、ワイヤレス通信システムの１または複数の通信リンクを介して、様々なタイプのデータおよび／または制御信号（すなわち、送信）を送信するために使用され得る。
【００７８】
[0095]いくつかの例では、ＣＣＡモジュール１１２０は、ダウンリンク競合に勝ったｅＮＢに基づいてＣＣＡの実施のためのＣＣＡおよびＤＴＸ期間を構成および／または実施し得る。ＣＣＡモジュール１１２０が、通信において無認可無線周波数スペクトル帯域が使用されるべきであると決定したとき、たとえば、図３〜図１０に関して上記で説明したような、協調された競合期間中のＣＣＡ、および送信期間内のＤＴＸ期間中のＣＣＡを含む、ダウンリンクＣＣＡが実施され得る。
【００７９】
[0096]次に図１１Ｂを参照すると、ブロック図１１５０は、本開示の様々な態様による、ワイヤレス通信において使用するためのデバイス１１５５を示す。いくつかの例では、デバイス１１５５は、図１、図２および／または図３に関して説明したアクセスポイント、基地局もしくはｅＮＢ１０５、２０５、３０５および／またはＵＥ１１５、２１５、３１５の１または複数の態様の一例であり得る。デバイス１１５５はプロセッサでもあり得る。デバイス１１５５は、受信機モジュール１１１２、ＣＣＡモジュール１１６０、および／または送信機モジュール１１３２を含み得る。これらの構成要素の各々は互いに通信中であり得る。
【００８０】
[0097]デバイス１１５５の構成要素は、適用可能な機能の一部または全部をハードウェアで実施するように適応された１または複数のＡＳＩＣを用いて、個々にまたはまとめて実装され得る。代替的に、それらの機能は、１または複数の他の処理ユニット（またはコア）によって、１または複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１または複数の汎用プロセッサまたは特定用途向けプロセッサによって実行されるようにフォーマットされた、メモリに組み込まれた命令を用いて実装され得る。
【００８１】
[0098]いくつかの例では、受信機モジュール１１１２は、図１１Ａの受信機モジュール１１１０の一例であり得る。受信機モジュール１１１２は、認可無線周波数スペクトル帯域および／または無認可無線周波数スペクトル帯域において送信を受信するように動作可能なＲＦ受信機などの無線周波数（ＲＦ）受信機であるか、またはそれを含み得る。ＲＦ受信機は、認可無線周波数スペクトル帯域および無認可無線周波数スペクトル帯域のために別個の受信機を含み得る。別個の受信機は、場合によっては、認可スペクトルモジュール１１１４および無認可スペクトルモジュール１１１６の形態をとり得る。認可スペクトルモジュール１１１４と無認可スペクトルモジュール１１１６とを含む、受信機モジュール１１１２は、図１、図２および／または図３に関して説明したワイヤレス通信システム１００、２００および／または３００の１または複数の通信リンク１２５、２２０〜２４０、および／または３２５など、認可無線周波数スペクトル帯域と無認可無線周波数スペクトル帯域とを含むワイヤレス通信システムの１または複数の通信リンクを介して、様々なタイプのデータおよび／または制御信号（すなわち、送信）を受信するために使用され得る。
【００８２】
[0099]いくつかの例では、送信機モジュール１１３２は、図１１Ａの送信機モジュール１１３０の一例であり得る。送信機モジュール１１３２は、認可無線周波数スペクトル帯域および／または無認可無線周波数スペクトル帯域において送信するように動作可能なＲＦ送信機などのＲＦ送信機であるか、またはそれを含み得る。ＲＦ送信機は、認可無線周波数スペクトル帯域および無認可無線周波数スペクトル帯域のために別個の送信機を含み得る。別個の送信機は、場合によっては、認可スペクトルモジュール１１３４および無認可スペクトルモジュール１１３６の形態をとり得る。送信機モジュール１１３２は、図１、図２および／または図３に関して説明したワイヤレス通信システム１００、２００および／または３００の１または複数の通信リンク１２５、２２０〜２４０、および／または３２５など、ワイヤレス通信システムの１または複数の通信リンクを介して、様々なタイプのデータおよび／または制御信号（すなわち、送信）を送信するために使用され得る。
【００８３】
[0100]ＣＣＡモジュール１１６０は、図１１Ａに関して説明したＣＣＡモジュール１１２０の一例であり得、第１のＣＣＡモジュール１１６５、ＤＴＸ期間決定モジュール１１７５、および／または第２のＣＣＡモジュール１１８０を含み得る。これらの構成要素の各々は互いに通信中であり得る。
【００８４】
[0101]いくつかの例では、第１のＣＣＡモジュール１１６５は、送信期間のための無線周波数スペクトル帯域について競合するために第１のＣＣＡ手順を実施し得る。第１のＣＣＡ手順は、複数のｅＮＢおよび／またはオペレータの間で協調された競合期間中に実施される手順であり得る。ＣＣＡは、無認可無線周波数スペクトル帯域を介して送信される通信チャネルについて識別される特殊サブフレーム中で実施され得る。第１のＣＣＡモジュールは、デバイス１１５５が送信期間のための無線周波数スペクトル帯域についての競合に勝ったかどうかを決定し、デバイス１１５５が無線周波数スペクトル帯域チャネルを獲得したことをシグナリングするためにＣＵＢＳの送信を開始し得る。ＤＴＸ期間決定モジュール１１７５は、送信期間中のＤＴＸ期間のタイミングおよび持続時間を決定し得る。ＤＴＸ期間は、たとえば、無線周波数スペクトル帯域の信号特性、およびレーダーシステムなどの無線周波数スペクトル帯域の１または複数の優先ユーザに基づいて決定され得る。ＤＴＸ期間は、たとえば、図３〜図１０に関して上記で説明したように決定され得る。
【００８５】
[0102]いくつかの例では、第２のＣＣＡモジュール１１８０は、無線周波数スペクトル帯域の継続的な利用可能性を決定するために１または複数のＤＴＸ期間中に１または複数の第２のＣＣＡ手順を実施し得る。ＣＣＡ間隔はＤＴＸ期間に対応し得、ＤＴＸ期間中に実施されるＣＣＡに基づいて無線周波数スペクトル帯域が利用可能でない場合、デバイス１１５５は、たとえば、図３〜図１０に関して上記で説明したように、無線周波数スペクトル帯域が再び利用可能であることを後続のＣＣＡが示すまで、無認可スペクトルモジュール１１３６からの送信を中止し（discontinue）得る。
【００８６】
[0103]図１２は、本開示の態様による、基地局の設計を概念的に示すブロック図である。図１２では、無認可無線周波数スペクトル帯域におけるＬＴＥベースの通信のために構成された基地局１２０５を示すブロック図１２００が示されている。いくつかの例では、基地局１２０５は、図１、図２、図３、図１１Ａ、および／または図１１Ｂに関して説明したアクセスポイント、基地局、ｅＮＢ、あるいはデバイス１０５、２０５、３０５、１１０５、および／または１１５５の１または複数の態様の一例であり得る。基地局１２０５は、図１、図２、図３、図４、図５、図６、図７、図８、図９、図１０Ａ、図１０Ｂ、図１１Ａ、および／または図１１Ｂに関して説明したＣＣＡ特徴および機能のうちの少なくともいくつかを実装するように構成され得る。基地局１２０５は、プロセッサモジュール１２１０、メモリモジュール１２２０、（（１または複数の）トランシーバモジュール１２５５によって表される）少なくとも１つのトランシーバモジュール、（（１または複数の）アンテナ１２６０によって表される）少なくとも１つのアンテナ、および／または基地局共有ＲＦスペクトル帯域モジュール１２７０を含み得る。基地局１２０５はまた、基地局通信モジュール１２３０およびネットワーク通信モジュール１２４０のうちの一方または両方を含み得る。これらの構成要素の各々は、１または複数のバス１２３５を介して、直接または間接的に互いに通信中であり得る。
【００８７】
[0104]メモリモジュール１２２０は、ランダムアクセスメモリ（ＲＡＭ）および／または読取り専用メモリ（ＲＯＭ）を含み得る。メモリモジュール１２２０は、実行されたとき、ＣＣＡの実施と、ＣＣＡ実施のためのＤＴＸ決定とを含めて、認可および／または無認可無線周波数スペクトル帯域においてＬＴＥベースの通信を使用するために、本明細書で説明する様々な機能をプロセッサモジュール１２１０に実施させるように構成された命令を含んでいる、コンピュータ可読、コンピュータ実行可能ソフトウェア（ＳＷ）コード１２２５を記憶し得る。代替的に、ソフトウェアコード１２２５は、プロセッサモジュール１２１０によって直接的に実行可能でないことがあるが、たとえば、コンパイルされ実行されたとき、本明細書で説明する様々な機能を基地局１２０５に実施させるように構成され得る。
【００８８】
[0105]プロセッサモジュール１２１０は、インテリジェントハードウェアデバイス、たとえば、中央処理ユニット（ＣＰＵ）、マイクロコントローラ、ＡＳＩＣなどを含み得る。プロセッサモジュール１２１０は、（１または複数の）トランシーバモジュール１２５５、基地局通信モジュール１２３０、および／またはネットワーク通信モジュール１２４０を通して受信された情報を処理し得る。プロセッサモジュール１２１０はまた、（１または複数の）アンテナ１２６０を介した送信のための（１または複数の）トランシーバモジュール１２５５に、１または複数の他の基地局またはｅＮＢ１２０５−ａおよび１２０５−ｂへの送信のための基地局通信モジュール１２３０に、ならびに／あるいは図１に関して説明したコアネットワーク１３０の態様の一例であり得るコアネットワーク１２４５への送信のためのネットワーク通信モジュール１２４０に、送られるべき情報を処理し得る。プロセッサモジュール１２１０は、単独でまたは基地局共有ＲＦスペクトル帯域モジュール１２７０とともに、図３〜図１０に関して上記で説明したように、ＣＣＡの実施および／または送信期間内のＤＴＸ期間の決定、無線周波数スペクトル帯域の利用可能性を決定するために使用され得る第２のＣＣＡ手順を含む、認可および／または無認可無線周波数スペクトル帯域においてＬＴＥベースの通信を使用する様々な態様を扱い得る。
【００８９】
[0106]（１または複数の）トランシーバモジュール１２５５は、パケットを変調し、変調されたパケットを送信のために（１または複数の）アンテナ１２６０に与え、（１または複数の）アンテナ１２６０から受信されたパケットを復調するように構成されたモデムを含み得る。（１または複数の）トランシーバモジュール１２５５は、１または複数の送信機モジュールおよび１または複数の別個の受信機モジュールとして実装され得る。（１または複数の）トランシーバモジュール１２５５は、少なくとも１つの認可無線周波数スペクトル帯域における、および少なくとも１つの無認可無線周波数スペクトル帯域における通信をサポートし得る。（１または複数の）トランシーバモジュール１２５５は、たとえば、図１、図２、および／または図３に関して説明したＵＥまたはデバイス１１５、２１５、および／または３１５のうちの１または複数と、（１または複数の）アンテナ１２６０を介して、双方向に通信するように構成され得る。基地局１２０５は、通常、複数のアンテナ１２６０（たとえば、アンテナアレイ）を含み得る。基地局１２０５は、ネットワーク通信モジュール１２４０を通してコアネットワーク１２４５と通信し得る。基地局１２０５は、基地局通信モジュール１２３０を使用して、基地局１２０５−ａおよび／または１２０５−ｂなどの他の基地局またはｅＮＢと通信し得る。
【００９０】
[0107]図１２のアーキテクチャによれば、基地局１２０５は、通信管理モジュール１２５０をさらに含み得る。通信管理モジュール１２５０は、他の基地局、ｅＮＢ、および／またはデバイスとの通信を管理し得る。通信管理モジュール１２５０は、１または複数のバス１２３５を介して、基地局１２０５の他の構成要素の一部または全部と通信中であり得る。代替として、通信管理モジュール１２５０の機能は、（１または複数の）トランシーバモジュール１２５５の構成要素として、コンピュータプログラム製品として、および／またはプロセッサモジュール１２１０の１つまたは複数のコントローラ要素として実装され得る。
【００９１】
[0108]基地局共有ＲＦスペクトル帯域モジュール１２７０は、認可および／または無認可無線周波数スペクトル帯域においてＬＴＥベースの通信を使用することに関係する図１、図２、図３、図４、図５、図６、図７、図８、図９、図１０Ａ、図１０Ｂ、図１１Ａ、および／または図１１Ｂに関して説明した基地局機能または態様の一部または全部を実施および／または制御するように構成され得る。たとえば、基地局共有ＲＦスペクトル帯域モジュール１２７０は、協調された競合間隔およびＤＴＸ期間に従ってＣＣＡ動作をサポートするように構成され得る。基地局共有ＲＦスペクトル帯域モジュール１２７０は、認可無線周波数スペクトル帯域においてＬＴＥ通信を処理するように構成されたＬＴＥモジュール１２７５、無認可無線周波数スペクトル帯域およびＣＣＡにおいてＬＴＥ通信を処理するように構成されたＬＴＥ無認可モジュール１２８０、および／または無認可無線周波数スペクトル帯域においてＬＴＥ通信以外の通信を処理するように構成された無認可モジュール１２８５を含み得る。基地局共有ＲＦスペクトル帯域モジュール１２７０はまた、たとえば、図１、図２、図３、図４、図５、図６、図７、図８、図９、図１０Ａ、図１０Ｂ、図１１Ａ、および／または図１１Ｂに関して説明したＣＣＡ機能のいずれかを提供するように構成された基地局ＣＣＡモジュール１２９０を含み得る。基地局ＣＣＡモジュール１２９０は、図１１Ａおよび／または図１１Ｂに関して説明した同様のモジュール（たとえば、モジュール１１２０および／またはモジュール１１６０）の一例であり得る。基地局共有ＲＦスペクトル帯域モジュール１２７０またはそれの部分は、プロセッサを含み得、および／または基地局共有ＲＦスペクトル帯域モジュール１２７０の機能の一部または全部は、プロセッサモジュール１２１０によっておよび／またはプロセッサモジュール１２１０に関連して実施され得る。
【００９２】
[0109]図１３は、本開示の態様による、ＵＥの設計を概念的に示すブロック図である。図１３では、無認可無線周波数スペクトル帯域におけるＬＴＥベースの通信のために構成されたＵＥ１３１５を示すブロック図１３００が示されている。ＵＥ１３１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなど含まれるかまたはそれらの一部であり得る。ＵＥ１３１５は、モバイル動作を可能にするために、小型バッテリーなどの内蔵電源（図示せず）を有し得る。いくつかの例では、ＵＥ１３１５は、図１、図２および／または図３に関して説明したＵＥまたはデバイス１１５、２１５、および／または３１５のうちの１または複数の一例であり得る。ＵＥ１３１５は、図１、図２、図３、図１１Ａ、図１１Ｂ、および／または図１２に関して説明したアクセスポイント、基地局、ｅＮＢまたはデバイス１０５、２０５、３０５、１１０５、１１５５、および／または１２０５のうちの１または複数と通信するように構成され得る。
【００９３】
[0110]ＵＥ１３１５は、プロセッサモジュール１３１０、メモリモジュール１３２０、（（１または複数の）トランシーバモジュール１３７０によって表される）少なくとも１つのトランシーバモジュール、（（１または複数の）アンテナ１３８０によって表される）少なくとも１つのアンテナ、および／またはＵＥ共有ＲＦスペクトル帯域モジュール１３４０を含み得る。これらの構成要素の各々は、１または複数のバス１３３５を介して、直接または間接的に互いに通信中であり得る。
【００９４】
[0111]メモリモジュール１３２０はＲＡＭおよび／またはＲＯＭを含み得る。メモリモジュール１３２０は、実行されたとき、認可および／または無認可無線周波数スペクトル帯域中でＬＴＥベースの通信を使用するために、本明細書で説明する様々な機能をプロセッサモジュール１３１０に実施させるように構成された命令を含んでいる、コンピュータ可読、コンピュータ実行可能ソフトウェア（ＳＷ）コード１３２５を記憶し得る。代替的に、ソフトウェアコード１３２５は、プロセッサモジュール１３１０によって直接的に実行可能でないことがあるが、（たとえば、コンパイルされ実行されたとき）本明細書で説明する様々なＵＥ機能をＵＥ１３１５に実施させるように構成され得る。
【００９５】
[0112]プロセッサモジュール１３１０は、インテリジェントハードウェアデバイス、たとえば、ＣＰＵ、マイクロコントローラ、ＡＳＩＣなどを含み得る。プロセッサモジュール１３１０は、（１または複数の）トランシーバモジュール１３７０を通して受信された情報、および／または（１または複数の）アンテナ１３８０を通した送信のために（１または複数の）トランシーバモジュール１３７０へ送られるべき情報を処理し得る。プロセッサモジュール１３１０は、単独でまたはＵＥ共有ＲＦスペクトル帯域モジュール１３４０とともに、認可および／または無認可無線周波数スペクトル帯域においてＬＴＥベースの通信を使用する様々な態様を扱い得る。
【００９６】
[0113]（１または複数の）トランシーバモジュール１３７０は、基地局またはｅＮＢと双方向に通信するように構成され得る。（１または複数の）トランシーバモジュール１３７０は、１または複数の送信機モジュールおよび１または複数の別個の受信機モジュールとして実装され得る。（１または複数の）トランシーバモジュール１３７０は、少なくとも１つの認可無線周波数スペクトル帯域における、および少なくとも１つの無認可無線周波数スペクトル帯域における通信をサポートし得る。（１または複数の）トランシーバモジュール１３７０は、パケットを変調し、変調されたパケットを送信のために（１または複数の）アンテナ１３８０に与え、（１または複数の）アンテナ１３８０から受信されたパケットを復調するように構成されたモデムを含み得る。ＵＥ１３１５は単一のアンテナを含み得るが、ＵＥ１３１５が複数のアンテナ１３８０を含み得る例があり得る。
【００９７】
[0114]図１３のアーキテクチャによれば、ＵＥ１３１５は通信管理モジュール１３３０をさらに含み得る。通信管理モジュール１３３０は、様々な基地局またはｅＮＢとの通信を管理し得る。通信管理モジュール１３３０は、１または複数のバス１３３５を介してＵＥ１３１５の他の構成要素の一部または全部と通信しているＵＥ１３１５の構成要素であり得る。代替として、通信管理モジュール１３３０の機能は、（１または複数の）トランシーバモジュール１３７０の構成要素として、コンピュータプログラム製品として、および／またはプロセッサモジュール１３１０の１または複数のコントローラ要素として実装され得る。
【００９８】
[0115]ＵＥ共有ＲＦスペクトル帯域モジュール１３４０は、認可および／または無認可無線周波数スペクトル帯域においてＬＴＥベースの通信を使用することに関係する図１、図２、図３、図４、図５、図６、図７、図８、図９、図１０Ａ、図１０Ｂ、図１１Ａ、および／または図１１Ｂで説明したＵＥ機能または態様の一部または全部を実施および／または制御するように構成され得る。たとえば、ＵＥ共有ＲＦスペクトル帯域モジュール１３４０は、協調された競合間隔に従ってチャネルアクセスを獲得するためにＣＣＡを実施し、無線周波数スペクトル帯域が送信のために利用可能であると決定するために周期的ＤＴＸおよびＣＣＡを実施するように構成され得る。ＵＥ共有ＲＦスペクトル帯域モジュール１３４０は、認可無線周波数スペクトル帯域においてＬＴＥ通信を処理するように構成されたＬＴＥモジュール１３４５、無認可無線周波数スペクトル帯域においてＬＴＥ通信を処理するように構成されたＬＴＥ無認可モジュール１３５０、および／またはＵＥ  ＣＣＡモジュール１３５５を含み得る。ＵＥ  ＣＣＡモジュール１３５５は、図１１Ａおよび／または図１１Ｂに関して説明した同様のモジュール（たとえば、モジュール１１２０および／またはモジュール１１６０）の一例であり得、協調された競合間隔に従ってＣＣＡを実施して無線周波数スペクトル帯域へのアクセスを獲得し、無線周波数スペクトル帯域を使用して基地局に送信し得る。ＵＥ共有ＲＦスペクトル帯域モジュール１３４０またはそれの部分は、プロセッサを含み得、および／またはＵＥ共有ＲＦスペクトル帯域モジュール１３４０の機能の一部または全部は、プロセッサモジュール１３１０によっておよび／またはプロセッサモジュール１３１０に関連して実施され得る。
【００９９】
[0116]図１４は、本開示の態様による、基地局１４０５とＵＥ１４１５との一例を概念的に示すブロック図である。基地局１４０５およびＵＥ１４１５は、ワイヤレス通信システム１４００の一部であり得る。このワイヤレス通信システム１４００は、図１のワイヤレス通信システム１００、図２の２００、および／または図３の３００の態様を示し得る。たとえば、基地局１４０５は、図１、図２、図３、および／または図１２に関して上記で説明したアクセスポイント、基地局、またはｅＮＢ１０５、２０５、３０５、および／または１２０５のうちの１または複数の一例であり得、ＵＥ１４１５は、図１、図２、図３および／または図１３に関して上記で説明したＵＥ１１５、２１５、３１５、および／または１３１５のうちの１または複数の一例であり得る。
【０１００】
[0117]基地局１４０５は基地局アンテナ１４３４−１〜１４３４−ｘを装備し得、ここでｘは正の整数であり、ＵＥ１４１５はＵＥアンテナ１４５２−１〜１４５２−ｎを装備し得る。ワイヤレス通信システム１４００では、基地局１４０５は、複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、基地局１４０５が２つの「レイヤ」を送信する２×２ＭＩＭＯシステムでは、基地局１４０５とＵＥ１４１５との間の通信リンクのランクは２である。
【０１０１】
[0118]基地局１４０５において、基地局送信プロセッサ１４２０は、基地局データソースからデータを受信し、基地局プロセッサ１４４０から制御情報を受信し得る。制御情報は、ＰＢＣＨ、ＰＣＦＩＣＨ、ＰＨＩＣＨ、ＰＤＣＣＨなどのためのものであり得る。データはＰＤＳＣＨなどのためのものであり得る。基地局送信プロセッサ１４２０は、データと制御情報とを処理（たとえば、符号化およびシンボルマッピング）して、それぞれデータシンボルと制御シンボルとを取得し得る。基地局送信プロセッサ１４２０はまた、たとえば、ＰＳＳ、ＳＳＳ、およびセル固有基準信号のための基準シンボルを生成し得る。基地局送信（ＴＸ）ＭＩＭＯプロセッサ１４３０は、適用可能な場合、データシンボル、制御シンボル、および／または基準シンボルに対して空間的処理（たとえば、プリコーディング）を実施し得、出力シンボルストリームを基地局送信変調器１４３２−１〜１４３２−ｘに与え得る。各基地局変調器１４３２は、（たとえば、ＯＦＤＭなどのために）それぞれの出力シンボルストリームを処理して、出力サンプルストリームを取得し得る。各基地局変調器１４３２は、出力サンプルストリームをさらに処理（たとえば、アナログへの変換、増幅、フィルタ処理、およびアップコンバート）して、ダウンリンク（ＤＬ）信号を取得し得る。一例では、基地局変調器１４３２1〜１４３２xからのＤＬ信号は、それぞれ基地局アンテナ１４３４−１〜１４３４−ｘを介して送信され得る。
【０１０２】
[0119]ＵＥ１４１５において、ＵＥアンテナ１４５２1〜１４５２nは、基地局１４０５からＤＬ信号を受信し得、受信信号をそれぞれＵＥ復調器１４５４1〜１４５４nに与え得る。各ＵＥ復調器１４５４は、それぞれの受信信号を調整（たとえば、フィルタ処理、増幅、ダウンコンバート、およびデジタル化）して、入力サンプルを取得し得る。各復調器１４５４は、（たとえば、ＯＦＤＭなどのための）入力サンプルをさらに処理して、受信シンボルを取得し得る。ＵＥ  ＭＩＭＯ検出器１４５６は、すべてのＵＥ復調器１４５４1〜１４５４nから受信シンボルを取得し、適用可能な場合は受信シンボルに対してＭＩＭＯ検出を実施し、検出シンボルを与え得る。ＵＥ受信（Ｒｘ）プロセッサ１４５８は、検出シンボルを処理（たとえば、復調、デインターリーブ、および復号）し、ＵＥ１４１５のための復号データをデータ出力に与え、復号された制御情報をＵＥプロセッサ１４８０、またはＵＥメモリ１４８２に与え得る。
【０１０３】
[0120]アップリンク（ＵＬ）上で、ＵＥ１４１５において、ＵＥ送信プロセッサ１４６４が、ＵＥデータソースからデータを受信し、処理し得る。ＵＥ送信プロセッサ１４６４はまた、基準信号のための基準シンボルを生成し得る。ＵＥ送信プロセッサ１４６４からのシンボルは、適用可能な場合はＵＥ送信ＭＩＭＯプロセッサ１４６６によってプリコーディングされ、（たとえば、ＳＣ−ＦＤＭＡなどのために）ＵＥ復調器１４５４1〜１４５４nによってさらに処理され、基地局１４０５から受信された送信パラメータに従って基地局１４０５に送信され得る。基地局１４０５において、ＵＥ１４１５からのＵＬ信号は、基地局アンテナ１４３４によって受信され、基地局復調器１４３２によって処理され、適用可能な場合は基地局ＭＩＭＯ検出器１４３６によって検出され、基地局受信プロセッサによってさらに処理され得る。基地局受信プロセッサ１４３８は、復号データを基地局データ出力と基地局プロセッサ１４４０とに与え得る。ＵＥ１４１５の構成要素は、個々にまたはまとめて、適用可能な機能の一部または全部をハードウェアで実施するように適応された１または複数の特定用途向け集積回路（ＡＳＩＣ）を用いて実装され得る。言及されたモジュールの各々は、ワイヤレス通信システム１４００の動作に関係する１または複数の機能を実施するための手段であり得る。同様に、基地局１４０５の構成要素は、個々にまたはまとめて、適用可能な機能の一部または全部をハードウェアで実施するように適応された１または複数の特定用途向け集積回路（ＡＳＩＣ）を用いて実装され得る。言及された構成要素の各々は、ワイヤレス通信システム１４００の動作に関係する１または複数の機能を実施するための手段であり得る。
【０１０４】
[0121]様々な開示する例のうちのいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤは、論理チャネルを介して通信するためにパケットセグメンテーションおよびリアセンブリを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１０５】
[0122]一例では、基地局１４０５および／またはＵＥ１４１５は、送信期間のための無線周波数スペクトル帯域について競合するために第１のＣＣＡ手順を実施するための手段と、ここにおいて、第１のＣＣＡ手順が、複数のオペレータ間で協調された競合期間中の送信期間の前に実施され、第１のＣＣＡ手順に基づいて送信期間のための無線周波数スペクトル帯域についての競合に勝ったかどうかを決定するための手段と、第１のＣＣＡ手順の成功した完了時に、無線周波数スペクトル帯域の利用可能性を決定するために第２のＣＣＡ手順を実施するための手段と、ここにおいて、第２のＣＣＡ手順が、送信期間におけるＤＴＸ期間中に実施され、を含む。一態様では、上述の手段は、上述の手段によって具陳される機能を実施するように構成された、基地局１４０５の基地局プロセッサ１４４０、基地局メモリ１４４２、基地局送信プロセッサ１４２０、基地局受信機プロセッサ１４３８、基地局変調器／復調器１４３２、および基地局アンテナ１４３４であり得る。別の態様では、上述の手段は、上述の手段によって具陳される機能を実施するように構成された、ＵＥ１４１５のＵＥプロセッサ１４８０、ＵＥメモリ１４８２、ＵＥ送信プロセッサ１４６４、ＵＥ受信機プロセッサ１４５８、ＵＥ変調器／復調器１４５４、およびＵＥアンテナ１４５２であり得る。
【０１０６】
[0123]図１５は、本開示の態様による、ワイヤレス通信の方法の一例を概念的に示すフローチャートである。明快のために、方法１５００について、図１、図２、図３、図１１Ａ、図１１Ｂ、図１２、および／または図１４に関して説明したアクセスポイント、基地局、ｅＮＢまたはデバイス１０５、２０５、３０５、１１０５、１１５５、１２０５および／または１４０５の各々を参照しながら以下で説明する。一例では、基地局は、以下で説明する機能を実施するために基地局の機能要素を制御するためのコードの１または複数のセットを実行し得る。
【０１０７】
[0124]ブロック１５０５において、送信期間のための無線周波数スペクトル帯域について競合するために第１のＣＣＡ手順が実施され、第１のＣＣＡ手順は、複数のオペレータ間で協調された競合期間中の送信期間の前に実施される。いくつかの例では、基地局あるいは同じおよび／または異なるオペレータは、無線周波数スペクトル帯域への競合ベースのチャネルアクセスを実施するために協調され得る。基地局が競合に勝たない場合、基地局は、複数のオペレータ間で協調された次の競合期間においてチャネルを獲得することを再び試み得る。いくつかの例によれば、複数のオペレータ間で協調された競合期間は、ＬＴＥフレーム境界と同期している特殊サブフレームであり得る。ブロック１５０５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明した第１のＣＣＡモジュール１１６５、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１０８】
[0125]ブロック１５１０において、第１のＣＣＡ手順に基づいて送信期間のための無線周波数スペクトル帯域についての競合に勝ったと決定される。いくつかの例では、無線周波数スペクトル帯域が別の基地局によって取得されたか否かを決定するためにＣＵＢＳが監視および使用され得、無線周波数スペクトル帯域が利用可能であると決定されたとき、ＣＵＢＳが送信される。ブロック１５１０における（１または複数の）動作は、場合によっては、図１１Ａおよび／または図１１Ｂに関して説明したＣＣＡモジュール１１２０および／または１１６０、図１１Ｂに関して説明した第１のＣＣＡモジュール１１６５、図１２に関して説明した基地局共有ＲＦスペクトル帯域モジュール１２７０、および／または図１４に関して説明したプロセッサ１４４０および関係する構成要素を使用して実施され得る。
【０１０９】
[0126]ブロック１５１５において、第１のＣＣＡ手順の成功した完了時に、無線周波数スペクトル帯域の利用可能性を決定するために第２のＣＣＡ手順が実施され、第２のＣＣＡ手順は、送信期間におけるＤＴＸ期間中に実施される。送信期間におけるＤＴＸ期間は、たとえば、無線周波数スペクトル帯域を使用し得るレーダーシステムの特性など、無線周波数スペクトル帯域を使用し得る１または複数の優先システムの特性に基づいて決定され得る。ブロック１５１５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明したＤＴＸ期間決定モジュール１１７５および第２のＣＣＡモジュール１１８０、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１１０】
[0127]このようにして、方法１５００は、競合ベースのチャネルアクセス手順がチャネル競合の勝者に送信期間のための無線周波数スペクトル帯域へのアクセスを提供し得、次いで、チャネルの勝者が、継続的な利用可能性を決定するために無線周波数スペクトル帯域を周期的に監視し得るワイヤレス通信を提供し得る。方法１５００は一実装形態にすぎず、方法１５００の動作は、他の実装形態が可能であるように並べ替えられ、または場合によっては修正され得ることに留意されたい。
【０１１１】
[0128]図１６は、本開示の態様による、ワイヤレス通信の方法の一例を概念的に示すフローチャートである。明快のために、方法１６００について、図１、図２、図３、図１１Ａ、図１１Ｂ、図１２、および／または図１４に関して説明したアクセスポイント、基地局、ｅＮＢまたはデバイス１０５、２０５、３０５、１１０５、１１５５、１２０５および／または１４０５の各々を参照しながら以下で説明する。一例では、基地局は、以下で説明する機能を実施するために基地局の機能要素を制御するためのコードの１または複数のセットを実行し得る。
【０１１２】
[0129]ブロック１６０５において、複数のオペレータ、レーダー信号、あるいは１または複数の他のユーザのうちの１または複数が、無線周波数スペクトル帯域の使用を禁止し得る信号を送信しているかどうかの決定が行われる。ブロック１６０５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明した第１のＣＣＡモジュール１１６５、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１１３】
[0130]ブロック１６１０において、決定に基づいて送信期間のための無線周波数スペクトル帯域についての競合に勝つ。ブロック１６１０における（１または複数の）動作は、場合によっては、図１１Ａおよび／または図１１Ｂに関して説明したＣＣＡモジュール１１２０および／または１１６０、図１１Ｂに関して説明した第１のＣＣＡモジュール１１６５、図１２に関して説明した基地局共有ＲＦスペクトル帯域モジュール１２７０、および／または図１４に関して説明したプロセッサ１４４０および関係する構成要素を使用して実施され得る。
【０１１４】
[0131]ブロック１６１５において、送信期間におけるＤＴＸ期間中に、無線周波数スペクトル帯域の使用を禁止し得るレーダー信号が存在するかどうかの決定が行われる。ブロック１６１５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明したＤＴＸ期間決定モジュール１１７５および第２のＣＣＡモジュール１１８０、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１１５】
[0132]このようにして、方法１６００は、関連する基地局が無認可無線周波数スペクトル帯域におけるワイヤレス通信チャネルへのチャネルアクセスを獲得したかどうかに基づいて、ＣＣＡ動作がＵＥのために異なる時間に実施されるように修正され得るワイヤレス通信を提供し得る。方法１６００は一実装形態にすぎず、方法１６００の動作は、他の実装形態が可能であるように並べ替えられ、または場合によっては修正され得ることに留意されたい。
【０１１６】
[0133]図１７は、本開示の態様による、ワイヤレス通信の方法の一例を概念的に示すフローチャートである。明快のために、方法１７００について、図１、図２、図３、図１１Ａ、図１１Ｂ、図１２、および／または図１４に関して説明したアクセスポイント、基地局、ｅＮＢまたはデバイス１０５、２０５、３０５、１１０５、１１５５、１２０５および／または１４０５の各々を参照しながら以下で説明する。一例では、基地局は、以下で説明する機能を実施するために基地局の機能要素を制御するためのコードの１または複数のセットを実行し得る。
【０１１７】
[0134]ブロック１７０５において、送信期間のための無線周波数スペクトル帯域について競合するために第１のＣＣＡ手順が実施され、第１のＣＣＡ手順は、複数のオペレータ間で協調された競合期間中の送信期間の前に実施される。いくつかの例では、基地局あるいは同じおよび／または異なるオペレータは、無線周波数スペクトル帯域への競合ベースのチャネルアクセスを実施するために協調され得る。基地局が競合に勝たない場合、基地局は、複数のオペレータ間で協調された次の競合期間においてチャネルを獲得することを再び試み得る。いくつかの例によれば、複数のオペレータ間で協調された競合期間は、ＬＴＥフレーム境界と同期している特殊サブフレームであり得る。ブロック１７０５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明した第１のＣＣＡモジュール１１６５、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１１８】
[0135]ブロック１７１０において、第１のＣＣＡ手順に基づいて送信期間のための無線周波数スペクトル帯域についての競合に勝ったと決定される。いくつかの例では、無線周波数スペクトル帯域が別の基地局によって取得されたか否かを決定するためにＣＵＢＳが監視および使用され得、無線周波数スペクトル帯域が利用可能であると決定されたとき、ＣＵＢＳが送信される。ブロック１７１０における（１または複数の）動作は、場合によっては、図１１Ａおよび／または図１１Ｂに関して説明したＣＣＡモジュール１１２０および／または１１６０、図１１Ｂに関して説明した第１のＣＣＡモジュール１１６５、図１２に関して説明した基地局共有ＲＦスペクトル帯域モジュール１２７０、および／または図１４に関して説明したプロセッサ１４４０および関係する構成要素を使用して実施され得る。
【０１１９】
[0136]ブロック１７１５において、第１のＣＣＡ手順の成功した完了時に、無線周波数スペクトル帯域の利用可能性を決定するために第２のＣＣＡ手順が実施され、第２のＣＣＡ手順は、送信期間におけるＤＴＸ期間中に実施される。送信期間におけるＤＴＸ期間は、たとえば、無線周波数スペクトル帯域を使用し得るレーダーシステムの特性など、無線周波数スペクトル帯域を使用し得る１または複数の優先システムの特性に基づいて決定され得る。ブロック１７１５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明したＤＴＸ期間決定モジュール１１７５および第２のＣＣＡモジュール１１８０、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１２０】
[0137]ブロック１７２０において、ＤＴＸ期間のうちの１または複数の期間中に１または複数のアップリンク送信が受信される。ブロック１７２０における（１または複数の）動作は、場合によっては、図１１Ａおよび／または図１１Ｂに関して説明した、受信機モジュール１１１０および１１１２、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１２１】
[0138]このようにして、方法１７００は、競合ベースのチャネルアクセス手順がチャネル競合の勝者に送信期間のための無線周波数スペクトル帯域へのアクセスを提供し得るワイヤレス通信を提供し得る。チャネルの獲得者は、次いで、継続的な利用可能性を決定するためにＤＴＸ期間において周期的に無線周波数スペクトル帯域を監視し得、監視しながら１または複数のＤＴＸ期間中にアップリンク送信を受信し得る。方法１７００は一実装形態にすぎず、方法１７００の動作は、他の実装形態が可能であるように並べ替えられ、または場合によっては修正され得ることに留意されたい。
【０１２２】
[0139]図１８は、本開示の態様による、ワイヤレス通信の方法の一例を概念的に示すフローチャートである。明快のために、方法１８００について、図１、図２、図３、図１１Ａ、図１１Ｂ、図１２、および／または図１４に関して説明したアクセスポイント、基地局、ｅＮＢまたはデバイス１０５、２０５、３０５、１１０５、１１５５、１２０５および／または１４０５の各々を参照しながら以下で説明する。一例では、基地局は、以下で説明する機能を実施するために基地局の機能要素を制御するためのコードの１または複数のセットを実行し得る。
【０１２３】
[0140]ブロック１８０５において、送信期間のための無線周波数スペクトル帯域について競合するために第１のＣＣＡ手順が実施され、第１のＣＣＡ手順は、複数のオペレータ間で協調された競合期間中の送信期間の前に実施される。いくつかの例では、基地局あるいは同じおよび／または異なるオペレータは、無線周波数スペクトル帯域への競合ベースのチャネルアクセスを実施するために協調され得る。基地局が競合に勝たない場合、基地局は、複数のオペレータ間で協調された次の競合期間においてチャネルを獲得することを再び試み得る。いくつかの例によれば、複数のオペレータ間で協調された競合期間は、ＬＴＥフレーム境界と同期している特殊サブフレームであり得る。ブロック１８０５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明した第１のＣＣＡモジュール１１６５、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１２４】
[0141]ブロック１８１０において、第１のＣＣＡ手順に基づいて送信期間のための無線周波数スペクトル帯域についての競合に勝ったと決定される。いくつかの例では、無線周波数スペクトル帯域が別の基地局によって取得されたか否かを決定するためにＣＵＢＳが監視および使用され得、無線周波数スペクトル帯域が利用可能であると決定されたとき、ＣＵＢＳが送信される。ブロック１８１０における（１または複数の）動作は、場合によっては、図１１Ａおよび／または図１１Ｂに関して説明したＣＣＡモジュール１１２０および／または１１６０、図１１Ｂに関して説明した第１のＣＣＡモジュール１１６５、図１２に関して説明した基地局共有ＲＦスペクトル帯域モジュール１２７０、および／または図１４に関して説明したプロセッサ１４４０および関係する構成要素を使用して実施され得る。
【０１２５】
[0142]ブロック１８１５において、第１のＣＣＡ手順の成功した完了時に、無線周波数スペクトル帯域の利用可能性を決定するために第２のＣＣＡ手順が実施され、第２のＣＣＡ手順は、送信期間におけるＤＴＸ期間中に実施される。送信期間におけるＤＴＸ期間は、たとえば、無線周波数スペクトル帯域を使用し得るレーダーシステムの特性など、無線周波数スペクトル帯域を使用し得る１または複数の優先システムの特性に基づいて決定され得る。ブロック１８１５における（１または複数の）動作は、場合によっては、図１１Ａおよび／または図１１Ｂに関して説明した、受信機モジュール１１１０および１１１２ならびに送信機モジュール１１３０および１１３２に関連するＣＣＡモジュール１１２０および／または１１６０、図１１Ｂに関して説明したＤＴＸ期間決定モジュール１１７５および第２のＣＣＡモジュール１１８０、図１２に関して説明した、（１または複数の）トランシーバモジュール１２５５および（１または複数の）アンテナ１２６０に関連する基地局共有ＲＦスペクトル帯域モジュール１２７０、および／または図１４に関して説明したプロセッサ１４４０および関係する構成要素を使用して実施され得る。
【０１２６】
[0143]ブロック１８２０において、ワイヤレス通信ネットワークに関するシステム負荷に応答して、ＤＴＸ期間の持続時間の適応的な決定が行われる。いくつかの例によれば、より軽いシステム負荷では、システムを使用して相対的により少ないトラフィックが送信され、信号を検出するための追加の機会が提供され、１または複数のＤＴＸ期間が低減され得る。いくつかの例では、（１または複数の）ＤＴＸ期間は１つまたは２つのＯＦＤＭシンボルに低減され得る。システム負荷が高い場合、無線周波数スペクトル帯域において他の信号を検出するための機会が低減され、それらの信号が存在する場合にそのような信号を検出する可能性を向上させるために、（１または複数の）ＤＴＸ期間が増加される。さらに他の例では、特定の信号の最後の信号検出からの経過時間が維持され、経過時間がしきい値数を超えるとき、１または複数のＤＴＸ期間が低減される。ブロック１８２０における（１または複数の）動作は、場合によっては、図１１Ａおよび／または図１１Ｂに関して説明したＣＣＡモジュール１１２０および／または１１６０、図１１Ｂに関して説明したＤＴＸ期間決定モジュール１１７５および第２のＣＣＡモジュール１１８０、図１２に関して説明した基地局共有ＲＦスペクトル帯域モジュール１２７０、および／または図１４に関して説明したプロセッサ１４４０および関係する構成要素を使用して実施され得る。
【０１２７】
[0144]このようにして、方法１８００は、競合ベースのチャネルアクセス手順がチャネル競合の勝者に送信期間のための無線周波数スペクトル帯域へのアクセスを提供し得るワイヤレス通信を提供し得る。チャネルの獲得者は、次いで、継続的な利用可能性を決定するためにＤＴＸ期間において周期的に無線周波数スペクトル帯域を監視し得、監視しながら１または複数のＤＴＸ期間中にアップリンク送信を受信し得る。方法１８００は一実装形態にすぎず、方法１８００の動作は、他の実装形態が可能であるように並べ替えられ、または場合によっては修正され得ることに留意されたい。
【０１２８】
[0145]添付の図面に関して上記に記載した詳細な説明は、例示的な実施形態について説明しており、実装され得るまたは特許請求の範囲内に入る唯一の実施形態を表すものではない。この明細書全体にわたって使用される「例示的」という用語は、「例、事例、または例示の働きをすること」を意味し、「好ましい」または「他の実施形態よりも有利である」ことを意味しない。詳細な説明は、説明した技法の理解を提供する目的で、具体的な詳細を含む。しかしながら、これらの技法は、これらの具体的な詳細なしに実践され得る。いくつかの事例では、説明した実施形態の概念を不明瞭にしないために、よく知られている構造およびデバイスがブロック図の形態で示されている。
【０１２９】
[0146]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組み合わせによって表され得る。
【０１３０】
[0147]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明した機能を実施するように設計されたそれらの任意の組み合わせを用いて実装または実施され得る。汎用プロセッサはマイクロプロセッサであり得るが、代替では、プロセッサは任意の従来のプロセッサ、コントローラ、マイクロコントローラ、または状態機械であり得る。プロセッサはまた、コンピューティングデバイスの組み合わせ、たとえば、ＤＳＰとマイクロプロセッサの組み合わせ、複数のマイクロプロセッサ、ＤＳＰコアと連携する１または複数のマイクロプロセッサ、あるいは任意の他のそのような構成として実装され得る。
【０１３１】
[0148]本明細書で説明した機能は、ハードウェア、プロセッサによって実行されるソフトウェア、ファームウェア、またはそれらの任意の組み合わせで実装され得る。プロセッサによって実行されるソフトウェアで実装される場合、機能は、１または複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサ、ハードウェア、ファームウェア、ハードワイヤリング、またはこれらのうちのいずれかの組み合わせによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で始まる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１３２】
[0149]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備えることができる。また、いかなる接続もコンピュータ可読媒体と適切に呼ばれる。たとえば、同軸ケーブル、光ファイバーケーブル、ツイストペア、デジタル加入者線（「ＤＳＬ」）、または赤外線、無線、およびマイクロ波などのワイヤレス技術を使用して、ソフトウェアがウェブサイト、サーバ、または他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組み合わせもコンピュータ可読媒体の範囲内に含まれる。
【０１３３】
[0150]本開示の前述の説明は、当業者が本開示を実施または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に一致する最も広い範囲を与えられるべきである。
以下に、本願出願の当初の特許請求の範囲に記載された発明を付記する。
［Ｃ１］
送信期間のための無線周波数スペクトル帯域について競合するために第１のクリアチャネルアセスメント（ＣＣＡ）手順を実施することと、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定することと、
前記第１のＣＣＡ手順の成功した完了時に、前記無線周波数スペクトル帯域の利用可能性を決定するために第２のＣＣＡ手順を実施することと、ここにおいて、前記第２のＣＣＡ手順が、前記送信期間における間欠送信（ＤＴＸ）期間中に実施され、
を備える、ワイヤレス通信のための方法。
［Ｃ２］
前記第２のＣＣＡ手順の前記実施に基づいて前記ＤＴＸ期間に続く前記送信期間の一部分中に前記無線周波数スペクトル帯域を介して送信すること
をさらに備える、Ｃ１に記載の方法。
［Ｃ３］
前記複数のオペレータが、前記競合期間中の所定の時間において前記無線周波数スペクトルについて競合するための優先度インデックスを割り当てられる、Ｃ１に記載の方法。
［Ｃ４］
前記複数のオペレータのうちの勝ったオペレータのみが、前記ＤＴＸ期間中に前記無線周波数スペクトル帯域について競合する、Ｃ３に記載の方法。
［Ｃ５］
前記第１のＣＣＡ手順を前記実施することは、前記複数のオペレータ、レーダー信号、あるいは１または複数の他のユーザのうちの１または複数が、前記無線周波数スペクトル帯域の使用を禁止し得る信号を送信しているかどうかを決定する、Ｃ１に記載の方法。
［Ｃ６］
前記第２のＣＣＡ手順を前記実施することは、前記無線周波数スペクトル帯域の使用を禁止し得るレーダー信号が存在するかどうかを決定することを備える、Ｃ１に記載の方法。
［Ｃ７］
前記第２のＣＣＡ手順を実施することは、別のユーザが前記ＤＴＸ期間中に前記無線周波数スペクトル帯域を獲得したかどうかを決定することをさらに備える、Ｃ６に記載の方法。
［Ｃ８］
前記第２のＣＣＡ手順を実施することが、前記送信期間における複数のＤＴＸ期間の各々のＤＴＸ期間中にＣＣＡ手順を実施することを備える、Ｃ１に記載の方法。
［Ｃ９］
前記複数のＤＴＸ期間が、前記送信期間において周期性によって生じる、Ｃ８に記載の方法。
［Ｃ１０］
前記周期性が、前記無線周波数スペクトル帯域を使用する信号の１または複数の特性に少なくとも部分的に基づく、Ｃ９に記載の方法。
［Ｃ１１］
前記周期性が地理的領域の信号タイプに基づき、前記送信期間中の２ミリ秒ごとに０．５ミリ秒ＤＴＸ期間を備える、Ｃ９に記載の方法。
［Ｃ１２］
前記周期性が連邦通信委員会（ＦＣＣ）レーダータイプ２、３、または４レーダー送信に基づく、Ｃ９に記載の方法。
［Ｃ１３］
前記周期性が地理的領域の信号タイプに基づき、前記送信期間中の７．５ミリ秒ごとに２．０ミリ秒ＤＴＸ期間を備える、Ｃ９に記載の方法。
［Ｃ１４］
前記周期性がＦＣＣレーダータイプ１または５レーダー送信に基づく、Ｃ９に記載の方法。
［Ｃ１５］
前記周期性が地理的領域の信号タイプに基づき、２つの連続する送信期間中の１３．５ミリ秒ごとに５．０ミリ秒ＤＴＸ期間を備える、Ｃ９に記載の方法。
［Ｃ１６］
前記周期性が欧州通信規格協会（ＥＴＳＩ）レーダータイプ１、２または５レーダー送信に基づく、Ｃ９に記載の方法。
［Ｃ１７］
第１のデータサブフレームを送信するより前に前記無線周波数スペクトル帯域について前記競合に勝ったとき、前記無線周波数スペクトル帯域を介してチャネル使用ビーコン信号（ＣＵＢＳ）を送信すること
をさらに備える、Ｃ１に記載の方法。
［Ｃ１８］
ランクインジケータ（ＲＩ）測定またはチャネル状態情報（ＣＳＩ）測定のうちの１または複数が前記第１のデータサブフレーム中に実施される、Ｃ１７に記載の方法。
［Ｃ１９］
基準信号受信電力（ＲＳＲＰ）測定または基準信号受信品質（ＲＳＲＱ）測定のうちの１または複数が前記第１のデータサブフレーム中に実施される、Ｃ１７に記載の方法。
［Ｃ２０］
前記第２のＣＣＡ手順を実施することが、前記送信期間における複数のＤＴＸ期間の各々のＤＴＸ期間中にＣＣＡ手順を実施することを備え、前記複数のＤＴＸ期間のうちの１または複数が前記送信期間における複数の連続するサブフレームを備える、Ｃ１に記載の方法。
［Ｃ２１］
ＤＴＸ期間のうちの１または複数の期間中に１または複数のアップリンク送信を受信することをさらに備える、Ｃ１に記載の方法。
［Ｃ２２］
前記ＤＴＸ期間の持続時間が、ワイヤレス通信ネットワークに関するシステム負荷に応答して適応的に決定される、Ｃ１に記載の方法。
［Ｃ２３］
前記ＤＴＸ期間の前記持続時間がリソース許可中で示される、Ｃ２２に記載の方法。
［Ｃ２４］
前記複数のオペレータが、前記無線周波数スペクトル帯域において使用されるプロトコルに従って動作する協調ノードのセットを動作させる、Ｃ１に記載の方法。
［Ｃ２５］
少なくとも１つのプロセッサと、
前記少なくとも１つのプロセッサに通信可能に結合されたメモリとを備える、ワイヤレス通信のための装置であって、前記少なくとも１つのプロセッサは、
送信期間のための無線周波数スペクトル帯域について競合するために第１のクリアチャネルアセスメント（ＣＣＡ）手順を実施することと、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定することと、
前記第１のＣＣＡ手順の成功した完了時に、前記無線周波数スペクトル帯域の利用可能性を決定するために第２のＣＣＡ手順を実施することと、ここにおいて、前記第２のＣＣＡ手順が、前記送信期間における間欠送信（ＤＴＸ）期間中に実施され、
を行うための前記メモリに記憶されたコードを実行するように構成された、装置。
［Ｃ２６］
前記少なくとも１つのプロセッサは、前記第２のＣＣＡ手順の前記実施に基づいて前記ＤＴＸ期間に続く前記送信期間の一部分中に前記無線周波数スペクトル帯域を介して送信するための前記メモリに記憶されたコードを実行するように構成された、Ｃ２５に記載の装置。
［Ｃ２７］
前記第１のＣＣＡ手順は、前記複数のオペレータ、レーダー信号、あるいは１または複数の他のユーザのうちの１または複数が、前記無線周波数スペクトル帯域の使用を禁止し得る信号を送信しているかどうかを決定する、Ｃ２５に記載の装置。
［Ｃ２８］
前記第２のＣＣＡ手順は、前記無線周波数スペクトル帯域の使用を禁止し得るレーダー信号が存在するかどうかを決定する、Ｃ２５に記載の装置。
［Ｃ２９］
送信期間のための無線周波数スペクトル帯域について競合するために第１のクリアチャネルアセスメント（ＣＣＡ）手順を実施するための手段と、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定するための手段と、
前記第１のＣＣＡ手順の成功した完了時に、前記無線周波数スペクトル帯域の利用可能性を決定するために第２のＣＣＡ手順を実施するための手段と、ここにおいて、前記第２のＣＣＡ手順が、前記送信期間における間欠送信（ＤＴＸ）期間中に実施され、
を備える、ワイヤレス通信のための装置。
［Ｃ３０］
ワイヤレス通信のためのコンピュータ実行可能コードを記憶した非一時的コンピュータ可読媒体であって、前記コードは、
送信期間のための無線周波数スペクトル帯域について競合するために第１のクリアチャネルアセスメント（ＣＣＡ）手順を実施することと、ここにおいて、前記第１のＣＣＡ手順が、複数のオペレータ間で協調された競合期間中の前記送信期間の前に実施され、
前記第１のＣＣＡ手順に基づいて、前記送信期間のための前記無線周波数スペクトル帯域についての競合に勝ったかどうかを決定することと、
前記第１のＣＣＡ手順の成功した完了時に、前記無線周波数スペクトル帯域の利用可能性を決定するために第２のＣＣＡ手順を実施することと、ここにおいて、前記第２のＣＣＡ手順が、前記送信期間における間欠送信（ＤＴＸ）期間中に実施され、
を行うようにプロセッサによって実行可能である、非一時的コンピュータ可読媒体。
【図１】
0006486911.tif 000006
【図２】
0006486911.tif 000007
【図３】
0006486911.tif 000008
【図４】
0006486911.tif 000009
【図５】
0006486911.tif 000010
【図６】
0006486911.tif 000011
【図７】
0006486911.tif 000012
【図８】
0006486911.tif 000013
【図９】
0006486911.tif 000014
【図１０Ａ】
0006486911.tif 000015
【図１０Ｂ】
0006486911.tif 000016
【図１１Ａ】
0006486911.tif 000017
【図１１Ｂ】
0006486911.tif 000018
【図１２】
0006486911.tif 000019
【図１３】
0006486911.tif 000020
【図１４】
0006486911.tif 000021
【図１５】
0006486911.tif 000022
【図１６】
0006486911.tif 000023
【図１７】
0006486911.tif 000024
【図１８】
0006486911.tif 000025